(57)【特許請求の範囲】
【請求項１】
下記を備えるワイヤレス通信のための装置、
前記装置の地理的ロケーションを決定するように構成された第１の回路と、
テレビジョンホワイトスペース（ＴＶＷＳ）通信をサポートする複数のＴＶＷＳチャネルのうちのチャネルのリストを得るように構成された第２の回路と、ここにおいて前記リストからの前記チャネルが、前記地理的ロケーションにおいて使用するために利用可能である、
複数の装置に到達することが可能なデータレートを有する非狭帯域信号を生成するように構成された第３の回路と、ここにおいて前記信号が、前記複数の装置に前記ＴＶＷＳ通信のための最初の有効化を公示する、
前記リストからの第１のチャネルを使用して、前記信号を前記複数の装置へ送信するように構成されたトランシーバ、ここにおいて前記トランシーバが、前記複数の装置へ、前記第１のチャネル上のコンタクト検証信号（ＣＶＳ）の送信の周期性を送るようにさらに構成される。
【請求項２】
前記トランシーバが、前記装置に関連付けられた全地球測位システム（ＧＰＳ）情報を得るために、ＧＰＳ接続を確立することを行うようにも構成され、
前記第１の回路が、前記ＧＰＳ情報に基づいて、前記地理的ロケーションを決定することを行うようにも構成される、請求項１に記載の装置。
【請求項３】
前記第２の回路が、前記リストを得るために、インターネット接続を介してＴＶＷＳデータベースと通信することを行うようにも構成され、
前記ＴＶＷＳデータベースが、前記地理的ロケーションにおける前記複数のＴＶＷＳチャネルの利用可能性についての情報を備える、請求項１に記載の装置。
【請求項４】
前記信号を送信するために、前記リストから前記第１のＴＶＷＳチャネルを選択するように構成された第４の回路
をさらに備える、請求項１に記載の装置。
【請求項５】
前記信号が、直接シーケンススペクトラム拡散（ＤＳＳＳ）信号を備える、請求項１に記載の装置。
【請求項６】
前記信号の前記データレートが、毎秒約１０キロビットまたは毎秒約１００キロビットであり、
前記信号の帯域幅が、約５ＭＨｚまたは約６ＭＨｚである、請求項１に記載の装置。
【請求項７】
前記第３の回路が、
毎秒約１メガビットの別のデータレートを有する、ＩＥＥＥ８０２．１１規格ファミリーに従う別の信号を生成すること
を行うようにも構成され、
前記信号の前記生成が、毎秒約２５０キロビット、毎秒約１２５キロビット、または毎秒約６２．５キロビットの前記データレートを有する前記信号を生成するために、前記別のデータレートを縮小して前記別の信号を変調することを備え、
前記信号の帯域幅が、約５ＭＨｚである、請求項１に記載の装置。
【請求項８】
前記信号が、反復符号をもつ直交周波数分割多重（ＯＦＤＭ）信号を備える、請求項１に記載の装置。
【請求項９】
前記トランシーバが、
前記第１のチャネル上で前記複数の装置のサブセットから、前記複数の装置のサブセットにおいて前記ＴＶＷＳ通信を有効化するための１つまたは複数の要求を受信することと、
前記サブセットからの各装置に関連付けられた識別子（ＩＤ）を受信することと、
前記要求に応答して前記第１のチャネル上で、チャネルの前記リストを前記サブセットからの１つまたは複数の装置へ送信することと、ここにおいて前記１つまたは複数の装置の各々が、検証された前記ＩＤに関連付けられる
を行うようにも構成される、請求項１に記載の装置。
【請求項１０】
前記トランシーバが、
前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
を行うようにも構成される、請求項９に記載の装置。
【請求項１１】
前記第２のリストが、前記第２のリスト内の各チャネルの中心周波数と帯域幅とを備える、請求項１０に記載の装置。
【請求項１２】
前記トランシーバが、
前記１つまたは複数の装置の各々から、その装置によって使用するために選択されている、前記複数のＴＶＷＳチャネルのうちの第２のチャネルについての情報を受信することと、
その装置へ、その装置による前記ＴＶＷＳ通信を継続するために、前記第２のチャネル上でコンタクト検証信号（ＣＶＳ）を送信する周期性についての情報をもつメッセージを送信することと
を行うようにも構成され、前記装置が、
前記第２のチャネルを前記第２のリストに含めるように構成された回路
をさらに備える、請求項１０に記載の装置。
【請求項１３】
前記トランシーバが、
その装置へ、前記第２のチャネル上で前記ＣＶＳを送信するためのスケジュールを備える別のメッセージを送信すること
を行うようにも構成される、請求項１２に記載の装置。
【請求項１４】
前記トランシーバが、前記第２のチャネルを使用して、少なくとも６０秒に１回、前記ＣＶＳを送信すること
を行うようにも構成される、請求項１２に記載の装置。
【請求項１５】
前記メッセージ内で指定された前記周期性で、前記第２のチャネルに同調するように構成された別の回路
をさらに備え、前記トランシーバが、
前記第２のチャネルを使用して、前記周期性に従って、前記ＣＶＳをその装置へ送信すること
を行うようにも構成される、請求項１２に記載の装置。
【請求項１６】
前記地理的ロケーションが、少なくとも６０秒に１回チェックされる、請求項１に記載の装置。
【請求項１７】
前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、請求項１に記載の装置。
【請求項１８】
前記トランシーバが、
前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと
を行うようにも構成され、
ここにおいて前記第１の頻度が、前記第２の頻度よりも大きい、請求項１に記載の装置。
【請求項１９】
前記トランシーバが、
前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
を行うようにも構成される、請求項１に記載の装置。
【請求項２０】
下記を備える、ワイヤレス通信のための方法、
装置で、前記装置の地理的ロケーションを決定することと、
テレビジョンホワイトスペース（ＴＶＷＳ）通信をサポートする複数のＴＶＷＳチャネルのうちのチャネルのリストを得ることと、ここにおいて前記リストからの前記チャネルが、前記地理的ロケーションにおいて使用するために利用可能である、
複数の装置に到達することが可能なデータレートを有する非狭帯域信号を生成することと、ここにおいて前記信号が、前記複数の装置に前記ＴＶＷＳ通信のための最初の有効化を公示する、
前記リストからの第１のチャネルを使用して、前記信号を前記複数の装置へ送信することと、
前記複数の装置へ、前記第１のチャネル上のコンタクト検証信号（ＣＶＳ）の送信の周期性を送ること。
【請求項２１】
前記装置に関連付けられた全地球測位システム（ＧＰＳ）情報を得るために、ＧＰＳ接続を確立することと、
前記ＧＰＳ情報に基づいて、前記地理的ロケーションを決定することと
をさらに備える、請求項２０に記載の方法。
【請求項２２】
前記リストを得るために、インターネット接続を介してＴＶＷＳデータベースと通信すること、ここにおいて前記ＴＶＷＳデータベースが、前記地理的ロケーションにおける前記複数のＴＶＷＳチャネルの利用可能性についての情報を備える
をさらに備える、請求項２０に記載の方法。
【請求項２３】
前記信号を送信するために、前記リストから前記第１のＴＶＷＳチャネルを選択すること
をさらに備える、請求項２０に記載の方法。
【請求項２４】
前記信号が、直接シーケンススペクトラム拡散（ＤＳＳＳ）信号を備える、請求項２０に記載の方法。
【請求項２５】
前記信号の前記データレートが、毎秒約１０キロビットまたは毎秒約１００キロビットであり、
前記信号の帯域幅が、約５ＭＨｚまたは約６ＭＨｚである、請求項２０に記載の方法。
【請求項２６】
前記信号を生成することが、
毎秒約１メガビットの別のデータレートを有する、ＩＥＥＥ８０２．１１規格ファミリーに従う別の信号を生成することと、
毎秒約２５０キロビット、毎秒約１２５キロビット、または毎秒約６２．５キロビットの前記データレートを有する前記信号を生成するために、前記別のデータレートを縮小して前記別の信号を変調することと
を備え、
ここにおいて前記信号の帯域幅が、約５ＭＨｚである、請求項２０に記載の方法。
【請求項２７】
前記信号が、反復符号をもつ直交周波数分割多重（ＯＦＤＭ）信号を備える、請求項２０に記載の方法。
【請求項２８】
前記第１のチャネル上で前記複数の装置のサブセットから、前記複数の装置のサブセットにおいて前記ＴＶＷＳ通信を有効化するための１つまたは複数の要求を受信することと、
前記サブセットからの各装置に関連付けられた識別子（ＩＤ）を受信することと、
前記要求に応答して前記第１のチャネル上で、チャネルの前記リストを前記サブセットからの１つまたは複数の装置へ送信することと、ここにおいて前記１つまたは複数の装置の各々が、検証された前記ＩＤに関連付けられる
をさらに備える、請求項２０に記載の方法。
【請求項２９】
前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
をさらに備える、請求項２８に記載の方法。
【請求項３０】
前記第２のリストが、前記第２のリスト内の各チャネルの中心周波数と帯域幅とを備える、請求項２９に記載の方法。
【請求項３１】
前記１つまたは複数の装置の各々から、その装置によって使用するために選択されている、前記複数のＴＶＷＳチャネルのうちの第２のチャネルについての情報を受信することと、
その装置へ、その装置による前記ＴＶＷＳ通信を継続するために、前記第２のチャネル上でコンタクト検証信号（ＣＶＳ）を送信する周期性についての情報をもつメッセージを送信することと、
前記第２のチャネルを前記第２のリストに含めることと
をさらに備える、請求項２９に記載の方法。
【請求項３２】
その装置へ、前記第２のチャネル上で前記ＣＶＳを送信するためのスケジュールを備える別のメッセージを送信すること
をさらに備える、請求項３１に記載の方法。
【請求項３３】
前記第２のチャネルを使用して、少なくとも６０秒に１回、前記ＣＶＳを送信すること
をさらに備える、請求項３１に記載の方法。
【請求項３４】
前記メッセージ内で指定された前記周期性で、前記第２のチャネルに同調することと、
前記第２のチャネルを使用して、前記周期性に従って、前記ＣＶＳをその装置へ送信することと
をさらに備える、請求項３１に記載の方法。
【請求項３５】
前記地理的ロケーションが、少なくとも６０秒に１回チェックされる、請求項２０に記載の方法。
【請求項３６】
前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、請求項２０に記載の方法。
【請求項３７】
前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと、ここにおいて前記第１の頻度が、前記第２の頻度よりも大きい
をさらに備える、請求項２０に記載の方法。
【請求項３８】
前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
をさらに備える、請求項２０に記載の方法。
【請求項３９】
下記を備える、ワイヤレス通信のための装置、
前記装置の地理的ロケーションを決定するための手段と、
テレビジョンホワイトスペース（ＴＶＷＳ）通信をサポートする複数のＴＶＷＳチャネルのうちのチャネルのリストを得るための手段と、ここにおいて前記リストからの前記チャネルが、前記地理的ロケーションにおいて使用するために利用可能である、
複数の装置に到達することが可能なデータレートを有する非狭帯域信号を生成するための手段と、ここにおいて前記信号が、前記複数の装置に前記ＴＶＷＳ通信のための最初の有効化を公示する、
前記リストからの第１のチャネルを使用して、前記信号を前記複数の装置へ送信するための手段と、
前記複数の装置へ、前記第１のチャネル上のコンタクト検証信号（ＣＶＳ）の送信の周期性を送るための手段。
【請求項４０】
前記装置に関連付けられた全地球測位システム（ＧＰＳ）情報を得るために、ＧＰＳ接続を確立するための手段と、
前記ＧＰＳ情報に基づいて、前記地理的ロケーションを決定するための手段と
をさらに備える、請求項３９に記載の装置。
【請求項４１】
前記リストを得るために、インターネット接続を介してＴＶＷＳデータベースと通信するための手段、ここにおいて前記ＴＶＷＳデータベースが、前記地理的ロケーションにおける前記複数のＴＶＷＳチャネルの利用可能性についての情報を備える
をさらに備える、請求項３９に記載の装置。
【請求項４２】
前記信号を送信するために、前記リストから前記第１のＴＶＷＳチャネルを選択するための手段
をさらに備える、請求項３９に記載の装置。
【請求項４３】
前記信号が、直接シーケンススペクトラム拡散（ＤＳＳＳ）信号を備える、請求項３９に記載の装置。
【請求項４４】
前記信号の前記データレートが、毎秒約１０キロビットまたは毎秒約１００キロビットであり、
前記信号の帯域幅が、約５ＭＨｚまたは約６ＭＨｚである、請求項３９に記載の装置。
【請求項４５】
前記信号を生成するための前記手段が、
毎秒約１メガビットの別のデータレートを有する、ＩＥＥＥ８０２．１１規格ファミリーに従う別の信号を生成するための手段と、
毎秒約２５０キロビット、毎秒約１２５キロビット、または毎秒約６２．５キロビットの前記データレートを有する前記信号を生成するために、前記別のデータレートを縮小して前記別の信号を変調するための手段と
を備え、
ここにおいて前記信号の帯域幅が、約５ＭＨｚである、請求項３９に記載の装置。
【請求項４６】
前記信号が、反復符号をもつ直交周波数分割多重（ＯＦＤＭ）信号を備える、請求項３９に記載の装置。
【請求項４７】
前記第１のチャネル上で前記複数の装置のサブセットから、前記複数の装置のサブセットにおいて前記ＴＶＷＳ通信を有効化するための１つまたは複数の要求を受信するための手段
をさらに備え、
受信するための前記手段が、前記サブセットからの各装置に関連付けられた識別子（ＩＤ）を受信することを行うようにさらに構成され、
送信するための前記手段が、前記要求に応答して前記第１のチャネル上で、チャネルの前記リストを前記サブセットからの１つまたは複数の装置へ送信することを行うようにさらに構成され、ここにおいて前記１つまたは複数の装置の各々が、検証された前記ＩＤに関連付けられる、請求項３９に記載の装置。
【請求項４８】
送信するための前記手段が、
前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
を行うようにさらに構成される、請求項４７に記載の装置。
【請求項４９】
前記第２のリストが、前記第２のリスト内の各チャネルの中心周波数と帯域幅とを備える、請求項４８に記載の装置。
【請求項５０】
受信するための前記手段が、前記１つまたは複数の装置の各々から、その装置によって使用するために選択されている、前記複数のＴＶＷＳチャネルのうちの第２のチャネルについての情報を受信することを行うようにさらに構成され、
送信するための前記手段が、その装置へ、その装置による前記ＴＶＷＳ通信を継続するために、前記第２のチャネル上でコンタクト検証信号（ＣＶＳ）を送信する周期性についての情報をもつメッセージを送信することを行うようにさらに構成され、前記装置が、
前記第２のチャネルを前記第２のリストに含めるための手段
をさらに備える、請求項４８に記載の装置。
【請求項５１】
送信するための前記手段が、
その装置へ、前記第２のチャネル上で前記ＣＶＳを送信するためのスケジュールを備える別のメッセージを送信すること
を行うようにさらに構成される、請求項５０に記載の装置。
【請求項５２】
送信するための前記手段が、
前記第２のチャネルを使用して、少なくとも６０秒に１回、前記ＣＶＳを送信すること
を行うようにさらに構成される、請求項５０に記載の装置。
【請求項５３】
前記装置が、
前記メッセージ内で指定された前記周期性で、前記第２のチャネルに同調するための手段
をさらに備え、送信するための前記手段が、
前記第２のチャネルを使用して、前記周期性に従って、前記ＣＶＳをその装置へ送信すること
を行うようにさらに構成される、請求項５０に記載の装置。
【請求項５４】
前記地理的ロケーションが、少なくとも６０秒に１回チェックされる、請求項３９に記載の装置。
【請求項５５】
前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、請求項３９に記載の装置。
【請求項５６】
送信するための前記手段が、
前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと、ここにおいて前記第１の頻度が、前記第２の頻度よりも大きい
を行うようにさらに構成される、請求項３９に記載の装置。
【請求項５７】
送信するための前記手段が、
前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
を行うようにさらに構成される、請求項３９に記載の装置。
【請求項５８】
コンピュータに、下記を行わせるためのコードを備える、ワイヤレス通信のためのコンピュータプログラム、
装置で、前記装置の地理的ロケーションを決定することと、
テレビジョンホワイトスペース（ＴＶＷＳ）通信をサポートする複数のＴＶＷＳチャネルのうちのチャネルのリストを得ることと、ここにおいて前記リストからの前記チャネルが、前記地理的ロケーションにおいて使用するために利用可能である、
複数の装置に到達することが可能なデータレートを有する非狭帯域信号を生成することと、ここにおいて前記信号が、前記複数の装置に前記ＴＶＷＳ通信のための最初の有効化を公示する、
前記リストからの第１のチャネルを使用して、前記信号を前記複数の装置へ送信することと、
前記複数の装置へ、前記第１のチャネル上のコンタクト検証信号（ＣＶＳ）の送信の周期性を送ること。
【請求項５９】
下記を備えるアクセスポイント、
少なくとも１つのアンテナと、
前記アクセスポイントの地理的ロケーションを決定するように構成された第１の回路と、
テレビジョンホワイトスペース（ＴＶＷＳ）通信をサポートする複数のＴＶＷＳチャネルのうちのチャネルのリストを得るように構成された第２の回路と、ここにおいて前記リストからの前記チャネルが、前記地理的ロケーションにおいて使用するために利用可能である、
複数のワイヤレスノードに到達することが可能なデータレートを有する非狭帯域信号を生成するように構成された第３の回路と、ここにおいて前記信号が、前記複数のワイヤレスノードに前記ＴＶＷＳ通信のための最初の有効化を公示する、
前記少なくとも１つのアンテナを介して、前記リストからの第１のチャネルを使用して、前記信号を前記複数のワイヤレスノードへ送信するように構成されたトランシーバ、ここにおいて前記トランシーバが、前記複数の装置へ、前記第１のチャネル上のコンタクト検証信号（ＣＶＳ）の送信の周期性を送るようにさらに構成される。
【発明の詳細な説明】
【関連出願の相互参照】
【０００１】
本特許出願は、本出願の譲受人に譲渡され、参照によりここに明確に組み込まれる、２０１２年１月１２日に出願された「ＭＥＴＨＯＤＳ  ＡＮＤ  ＡＰＰＡＲＡＴＵＳＥＳ  ＦＯＲ  ＣＯＭＭＵＮＩＣＡＴＩＮＧ  ＩＮ  ＴＥＬＥＶＩＳＩＯＮ  ＷＨＩＴＥ  ＳＰＡＣＥ  （ＴＶＷＳ）  ＢＡＳＥＤ  ＯＮ  ＴＶＷＳ  ＥＮＡＢＬＥＭＥＮＴ  ＳＩＧＮＡＬ」と題する米国特許出願に、主題により関係する。
【米国特許法第１１９条に基づく優先権の主張】
【０００２】
本特許出願は、本出願の譲受人に譲渡され、参照によりここに明確に組み込まれる、２０１１年１月１４日に出願された「Ｌｏｗ−ｒａｔｅ  Ｔｅｌｅｖｉｓｉｏｎ  Ｗｈｉｔｅ  Ｓｐａｃｅ  （ＴＶＷＳ）  ｅｎａｂｌｅｒ」と題する米国仮特許出願第６１／４３３，０４６号の利益を主張する。
【技術分野】
【０００３】
本開示のいくつかの態様は、一般にワイヤレス通信に関し、より詳細には、テレビジョンホワイトスペース（ＴＶＷＳ）通信をサポートするための方法および装置に関する。
【背景技術】
【０００４】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００５】
ワイヤレス通信システムのために必要とされる帯域幅要件を増す問題点に対処するために、異なる方式が開発されつつある。それらの方式の１つは、たとえば、テレビジョン（ＴＶ）帯域（すなわち、ＴＶホワイトスペース）内の未使用の周波数スペクトルを利用するために、Ｗｉ−Ｆｉ技術を拡張することを伴う。米国電気電子技術者協会（ＩＥＥＥ）８０２．１１ａｆタスクグループは、ＴＶホワイトスペース（ＴＶＷＳ）内で動作するためのＩＥＥＥ８０２．１１規格の修正を定義するために組織されている。ＩＥＥＥ８０２．１１規格は、（たとえば、数十メートルから数百メートルの）短距離通信用にＩＥＥＥ８０２．１１ワーキンググループによって開発されたワイヤレスローカルエリアネットワーク（ＷＬＡＮ）エアインターフェース規格を示す。ＴＶＷＳを１ＧＨｚ未満の周波数とともに使用することによって、ＩＥＥＥ８０２．１１ａｆは、ＴＶスペクトル内の未使用の周波数によって提供される、増加された帯域幅に加えて、達成されるべきより大きい伝搬距離を提供し得る。
【０００６】
連邦通信委員会（ＦＣＣ）は、ＴＶホワイトスペース（ＴＶＷＳ）と呼ばれる未使用のＴＶチャネルにおける無認可の動作についての規則を発展させている。ＦＣＣによってＴＶ帯域デバイス（ＴＶＢＤ）とも呼ばれるＴＶホワイトスペースデバイス（ＷＳＤ）は、ＴＶ帯域内の認可されたサービス（たとえば、放送されるＴＶ、ワイヤレスマイクロフォンなど）への有害な干渉を引き起こすことを回避するように、ＴＶＷＳ内の動作のためのいくつかの要件を満たす必要があり得る。
【０００７】
ＦＣＣによって定義されたいくつかのクラスのデバイスがあり、すなわち、固定デバイスおよびパーソナル／ポータブルデバイス（本開示ではポータブルデバイスと呼ばれる）である。２つのクラスのポータブルデバイスがあり、すなわち、モードＩデバイスおよびモードＩＩデバイスである。
【０００８】
ポータブルモードＩＩデバイスは、５０メートルの精度のジオロケーション機能を有する必要があり得、そのロケーション内のどのチャネルがホワイトスペースであり、使用するために利用可能であるかを見いだすために、データベースを調べることができるように、インターネットアクセスを有する必要があり得る。モードＩデバイスは、ジオロケーション機能またはインターネットアクセスを有する必要がないことがあるが、それらは固定デバイスまたはモードＩＩデバイスから利用可能であるとして示されるＴＶチャネルにおいて送信することのみが許可され得る。加えて、固定デバイスまたはモードＩＩデバイスから最初の有効化を受信した後、モードＩデバイスは、ＴＶＷＳ通信を継続するために、少なくとも６０秒ごとに固定デバイスまたはモードＩＩデバイスから「コンタクト検証信号（contact verification signal）」（ＣＶＳ）を受信する必要があり得、または、モードＩデバイスは、送信を中止する必要があり得る。
【０００９】
ＦＣＣは、ＴＶホワイトスペースデバイスの総送信電力と電力スペクトル密度（ＰＤＳ）の両方に制限を指定している。ポータブルデバイスの最大送信電力は、２０ｄＢｍであり得、ポータブルデバイスが放送ＴＶ信号に隣接するチャネル上で動作中であるとき、この制限は、１６ｄＢｍまで下げられ得る。電力制限に加えて、ＦＣＣによって指定されたＰＳＤ制限もあり得、それは、いかなる１００ｋＨｚ帯域内でも最大電力を制限することによって制御され得る。ポータブルデバイスでは、この制限は、１００ｋＨｚで２．２ｄＢｍであり得、ＴＶ放送信号に隣接するチャネル内で動作するとき、それは、−１．８ｄＢｍまで下げられ得る。ＰＳＤ制限は、高電力狭帯域信号を防止することができる。
【発明の概要】
【００１０】
本開示のいくつかの態様は、ワイヤレス通信のための方法を提供する。この方法は、一般に、装置で、装置の地理的ロケーションを決定することと、テレビジョンホワイトスペース（ＴＶＷＳ）通信をサポートする複数のＴＶＷＳチャネルのうちのチャネルのリストを得ることであり、ここにおいてそのリストからのチャネルが、その地理的ロケーションにおいて使用するために利用可能であることと、複数の装置に到達することが可能なデータレートを有する信号を生成することであり、ここにおいてその信号が、それらの装置にＴＶＷＳ通信のための有効化(enablement)を公示することと、そのリストからの第１のチャネルを使用して、その信号をそれらの装置へ送信することとを含む。
【００１１】
本開示のいくつかの態様は、ワイヤレス通信のための装置を提供する。この装置は、一般に、装置の地理的ロケーションを決定するように構成された第１の回路と、テレビジョンホワイトスペース（ＴＶＷＳ）通信をサポートする複数のＴＶＷＳチャネルのうちのチャネルのリストを得るように構成された第２の回路であり、ここにおいてそのリストからのチャネルが、その地理的ロケーションにおいて使用するために利用可能である、第２の回路と、複数の装置に到達することが可能なデータレートを有する信号を生成するように構成された第３の回路であり、ここにおいてその信号が、それらの装置にＴＶＷＳ通信のための有効化を公示する、第３の回路と、そのリストからの第１のチャネルを使用して、その信号をそれらの装置へ送信するように構成されたトランシーバとを含む。
【００１２】
本開示のいくつかの態様は、ワイヤレス通信のための装置を提供する。この装置は、一般に、装置の地理的ロケーションを決定するための手段と、テレビジョンホワイトスペース（ＴＶＷＳ）通信をサポートする複数のＴＶＷＳチャネルのうちのチャネルのリストを得るための手段であり、ここにおいてそのリストからのチャネルが、その地理的ロケーションにおいて使用するために利用可能である手段と、複数の装置に到達することが可能なデータレートを有する信号を生成するための手段であり、ここにおいてその信号が、それらの装置にＴＶＷＳ通信のための有効化を公示する手段と、そのリストからの第１のチャネルを使用して、その信号をそれらの装置へ送信するための手段とを含む。
【００１３】
本開示のいくつかの態様は、ワイヤレス通信のためのコンピュータプログラム製品を提供する。このコンピュータプログラム製品は、装置で、装置の地理的ロケーションを決定することと、テレビジョンホワイトスペース（ＴＶＷＳ）通信をサポートする複数のＴＶＷＳチャネルのうちのチャネルのリストを得ることであり、ここにおいてそのリストからのチャネルが、その地理的ロケーションにおいて使用するために利用可能であることと、複数の装置に到達することが可能なデータレートを有する信号を生成することであり、ここにおいてその信号が、それらの装置にＴＶＷＳ通信のための有効化を公示することと、そのリストからの第１のチャネルを使用して、その信号をそれらの装置へ送信することとを行うように実行可能な命令を備える、コンピュータ可読媒体を含む。
【００１４】
本開示のいくつかの態様は、アクセスポイントを提供する。このアクセスポイントは、一般に、少なくとも１つのアンテナと、アクセスポイントの地理的ロケーションを決定するように構成された第１の回路と、テレビジョンホワイトスペース（ＴＶＷＳ）通信をサポートする複数のＴＶＷＳチャネルのうちのチャネルのリストを得るように構成された第２の回路であり、ここにおいてそのリストからのチャネルが、その地理的ロケーションにおいて使用するために利用可能である、第２の回路と、複数のワイヤレスノードに到達することが可能なデータレートを有する信号を生成するように構成された第３の回路であり、ここにおいてその信号が、それらのワイヤレスノードにＴＶＷＳ通信のための有効化を公示する、第３の回路と、少なくとも１つのアンテナを介して、そのリストからの第１のチャネルを使用して、その信号をそれらのワイヤレスノードへ送信するように構成されたトランシーバとを含む。
【００１５】
本開示のいくつかの態様は、ワイヤレス通信のための方法を提供する。この方法は、一般に、装置で、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索することであり、ここにおいてその信号が、ＴＶＷＳ通信のための有効化を公示するために複数の装置に到達することが可能であることと、探索に基づいて、その信号と第１のチャネルとを検出することと、検出時に前記別の装置へ、第１のチャネルを使用して、有効化を求める要求を送信することとを含む。
【００１６】
本開示のいくつかの態様は、ワイヤレス通信のための装置を提供する。この装置は、一般に、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索するように構成された第１の回路であり、ここにおいてその信号が、ＴＶＷＳ通信のための有効化を公示するために複数の装置に到達することが可能である、第１の回路と、探索に基づいて、その信号と第１のチャネルとを検出するように構成された第２の回路と、検出時に前記別の装置へ、第１のチャネルを使用して、有効化を求める要求を送信するように構成されたトランシーバとを含む。
【００１７】
本開示のいくつかの態様は、ワイヤレス通信のための装置を提供する。この装置は、一般に、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索するための手段であり、ここにおいてその信号が、ＴＶＷＳ通信のための有効化を公示するために複数の装置に到達することが可能である手段と、探索に基づいて、その信号と第１のチャネルとを検出するための手段と、検出時に前記別の装置へ、第１のチャネルを使用して、有効化を求める要求を送信するための手段とを含む。
【００１８】
本開示のいくつかの態様は、ワイヤレス通信のためのコンピュータプログラム製品を提供する。このコンピュータプログラム製品は、装置で、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索することであり、ここにおいてその信号が、ＴＶＷＳ通信のための有効化を公示するために複数の装置に到達することが可能であることと、探索に基づいて、その信号と第１のチャネルとを検出することと、検出時に前記別の装置へ、第１のチャネルを使用して、有効化を求める要求を送信することとを行うように実行可能な命令を備える、コンピュータ可読媒体を含む。
【００１９】
本開示のいくつかの態様は、アクセスポイントを提供する。このアクセスポイントは、一般に、少なくとも１つのアンテナと、テレビジョンホワイトスペース（ＴＶＷＳ）通信をサポートする複数のＴＶＷＳチャネルを、ＴＶＷＳチャネルのうちの第１のチャネル上で別のアクセスポイントから送信された信号を求めて探索するように構成された第１の回路であり、ここにおいてその信号が、ＴＶＷＳ通信のための有効化を公示するために複数のワイヤレスノードに到達することが可能である、第１の回路と、探索に基づいて、その信号と第１のチャネルとを検出するように構成された第２の回路と、少なくとも１つのアンテナを介して、検出時に前記別のアクセスポイントへ、第１のチャネルを使用して、有効化を求める要求を送信するように構成されたトランシーバとを含む。
【００２０】
本開示のいくつかの態様は、ワイヤレス通信のための方法を提供する。この方法は、一般に、装置で、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索することであり、ここにおいてその信号が、ＴＶＷＳ通信のための有効化を公示するために複数の装置に到達することが可能であることと、その信号と第１のチャネルとを検出すると、第１のチャネルを使用して前記別の装置へ、有効化を求める要求を送信することと、要求に応答して前記別の装置から、複数の装置のサブセットによって使用中である、複数のＴＶＷＳチャネルのうちのチャネルのリストを受信することと、リストからのチャネル上で、サブセットのうちの通信中の装置を求めて探索することとを含む。
【００２１】
本開示のいくつかの態様は、ワイヤレス通信のための装置を提供する。この装置は、一般に、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索するように構成された第１の回路であり、ここにおいてその信号が、ＴＶＷＳ通信のための有効化を公示するために複数の装置に到達することが可能である、第１の回路と、その信号と第１のチャネルとを検出すると、第１のチャネルを使用して前記別の装置へ、有効化を求める要求を送信するように構成されたトランシーバとを含み、トランシーバが、要求に応答して前記別の装置から、複数の装置のサブセットによって使用中である、複数のＴＶＷＳチャネルのうちのチャネルのリストを受信することを行うようにも構成され、第１の回路が、リストからのチャネル上で、サブセットのうちの通信中の装置を求めて探索することを行うようにも構成される。
【００２２】
本開示のいくつかの態様は、ワイヤレス通信のための装置を提供する。この装置は、一般に、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索するための手段であり、ここにおいてその信号が、ＴＶＷＳ通信のための有効化を公示するために複数の装置に到達することが可能である手段と、その信号と第１のチャネルとを検出すると、第１のチャネルを使用して前記別の装置へ、有効化を求める要求を送信するための手段と、要求に応答して前記別の装置から、複数の装置のサブセットによって使用中である、複数のＴＶＷＳチャネルのうちのチャネルのリストを受信するための手段と、リストからのチャネル上で、サブセットのうちの通信中の装置を求めて探索するための手段とを含む。
【００２３】
本開示のいくつかの態様は、ワイヤレス通信のためのコンピュータプログラム製品を提供する。このコンピュータプログラム製品は、装置で、テレビジョンホワイトスペース（ＴＶＷＳ）通信をサポートする複数のＴＶＷＳチャネルを、ＴＶＷＳチャネルのうちの第１のチャネル上で別の装置から送信された信号を求めて探索することであり、ここにおいてその信号が、ＴＶＷＳ通信のための有効化を公示するために複数の装置に到達することが可能であることと、その信号と第１のチャネルとを検出すると、第１のチャネルを使用して前記別の装置へ、有効化を求める要求を送信することと、要求に応答して前記別の装置から、複数の装置のサブセットによって使用中である、複数のＴＶＷＳチャネルのうちのチャネルのリストを受信することと、リストからのチャネル上で、サブセットのうちの通信中の装置を求めて探索することとを行うように実行可能な命令を備える、コンピュータ可読媒体を含む。
【００２４】
本開示のいくつかの態様は、アクセス端末を提供する。このアクセス端末は、一般に、少なくとも１つのアンテナと、テレビジョンホワイトスペース（ＴＶＷＳ）通信をサポートする複数のＴＶＷＳチャネルを、ＴＶＷＳチャネルのうちの第１のチャネル上でアクセスポイントから送信された信号を求めて探索するように構成された第１の回路であり、ここにおいてその信号が、ＴＶＷＳ通信のための有効化を公示するために複数のワイヤレスノードに到達することが可能である、第１の回路と、その信号と第１のチャネルとを検出すると、第１のチャネルを使用して、少なくとも１つのアンテナを介してアクセスポイントへ、有効化を求める要求を送信するように構成されたトランシーバとを含み、トランシーバが、要求に応答してアクセスポイントから少なくとも１つのアンテナを介して、ワイヤレスノードのサブセットによって使用中である、複数のＴＶＷＳチャネルのうちのチャネルのリストを受信することを行うようにも構成され、第１の回路が、リストからのチャネル上で、サブセットの別のアクセスポイントを求めて探索することを行うようにも構成される。
【００２５】
本開示の上述の特徴を詳細に理解することができるように、添付の図面にその一部を示す態様を参照することによって、上記で簡単に要約したより具体的な説明を得ることができる。しかしながら、添付の図面は、本開示の特定の典型的な態様のみを示し、したがって、本開示の範囲の限定とみなされてはならず、その理由は、この説明が他の同等の効果のある態様をもたらし得るからであることに留意されたい。
【図面の簡単な説明】
【００２６】
【図１】図１は、本開示のいくつかの態様による、ワイヤレス通信ネットワークを示す。
【図２】図２は、本開示のいくつかの態様による、例示的なアクセスポイントおよびユーザ端末のブロック図を示す。
【図３】図３は、本開示のいくつかの態様による、例示的なワイヤレスデバイスのブロック図を示す。
【図４】図４は、本開示のいくつかの態様による、低レートテレビジョンホワイトスペース（ＴＶＷＳ）イネーブラ、モードＩアクセスポイントおよびモードＩユーザ局の例示的な配置を示す。
【図５】図５は、本開示のいくつかの態様による、占有ＴＶＷＳチャネルの例示的なリストを示す。
【図６】図６は、本開示のいくつかの態様による、低レートＴＶＷＳイネーブラによって占有された例示的な周波数を示す。
【図７】図７は、本開示のいくつかの態様による、低レートＴＶＷＳイネーブラにおいて行われ得る例示的な動作を示す。
【図７Ａ】図７Ａは、本開示のいくつかの態様による、例示的なコンポーネントを使用して低レートＴＶＷＳイネーブラにおいて行われ得る例示的な動作を示す。
【図８】図８は、本開示のいくつかの態様による、モードＩアクセスポイントにおいて行われ得る他の例示的な動作を示す。
【図８Ａ】図８Ａは、本開示のいくつかの態様による、例示的なコンポーネントを使用してモードＩアクセスポイントにおいて行われ得る例示的な動作を示す。
【図９】図９は、本開示のいくつかの態様による、モードＩユーザ局において行われ得る例示的な動作を示す。
【図９Ａ】図９Ａは、本開示のいくつかの態様による、例示的なコンポーネントを使用してモードＩユーザ局において行われ得る例示的な動作を示す。
【図１０】図１０は、本開示のいくつかの態様による、有効化フレーム（ＥＦ：enabling frame）またはコンタクト検証信号の送信をカバーするために、自身への送信可（ＣＴＳ：Clear-to-send）−ｔｏ−Ｓｅｌｆフレームを送信するアクセスポイントの例示的な手順を示す。
【図１１】図１１は、本開示のいくつかの態様による、周期的なコンタクト検証信号（ＣＶＳ）メッセージ、トラフィック指示マップ（ＴＩＭ）メッセージ、および、配信トラフィック指示マップ（ＤＴＩＭ）メッセージの一例を示す。
【詳細な説明】
【００２７】
本開示の様々な態様が、添付の図面を参照しながら以下でより十分に説明される。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために提供される。ここにおける教示に基づいて、本開示の範囲は、本開示の他の態様とは無関係に実装されるにせよ、本開示の他の態様と組み合わせて実装されるにせよ、ここに開示する本開示のいかなる態様をもカバーするものであることを、当業者なら諒解されたい。たとえば、ここに記載の態様をいくつ使用しても、装置が実装され得、または方法が実施され得る。さらに、本開示の範囲は、ここに記載の本開示の様々な態様に加えてまたはそれらの態様以外に、他の構造、機能、または構造および機能を使用して実施されるそのような装置またはそのような方法をカバーするものとする。ここに開示する本開示の任意の態様が請求項の１つまたは複数の要素によって実施し得ることを理解されたい。
【００２８】
「例示的」という単語は、ここでは「例、事例、または例示の働きをすること」を意味するために使用する。「例示的」としてここに説明するいかなる態様も、必ずしも他の態様よりも好適または有利なものと解釈すべきではない。
【００２９】
特定の態様がここに説明されるが、これらの態様の多くの変形体および置換は本開示の範囲内に入る。好ましい態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかが例として図および好ましい態様についての以下の説明で示される。詳細な説明および図面は、限定的なものではなく本開示を説明するものにすぎず、本開示の範囲は添付の特許請求の範囲およびその均等物によって規定される。
【００３０】
例示的なワイヤレス通信システム
ここに記載の技法は、直交多重化方式に基づく通信システムを含む様々なワイヤレス通信システムに使用され得る。そのような通信システムの例は、空間分割多元接続（ＳＤＭＡ）システム、時分割多元接続（ＴＤＭＡ）システム、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために、十分に異なる方向を利用し得る。ＴＤＭＡシステムは、送信信号を異なるタイムスロットに分割することによって、複数のユーザ端末が同じ周波数チャネルを共有可能にすることができ、各タイムスロットは、異なるユーザ端末に割り当てられる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で生成される。
【００３１】
ここにおける教示は、様々なワイヤードまたはワイヤレス装置（たとえば、ノード）に組み込まれ得る（たとえば、その装置内に実装され、またはその装置によって実行され得る）。いくつかの態様では、ノードはワイヤレスノードを備える。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を提供し得る。いくつかの態様では、ここにおける教示に従って実装されるワイヤレスノードはアクセスポイントまたはアクセス端末を備え得る。
【００３２】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。いくつかの実装形態では、アクセスポイントは、セットトップボックスキオスク、メディアセンター、あるいはワイヤレスまたはワイヤード媒体を介して通信するように構成された任意の他の好適なデバイスを備え得る。本開示のいくつかの態様によれば、アクセスポイントは、米国電気電子技術者協会（ＩＥＥＥ）８０２．１１ワイヤレス通信規格ファミリーに従って動作し得る。
【００３３】
アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、ここに教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、タブレット、娯楽デバイス（たとえば、音楽またはビデオデバイス、あるいは衛星ラジオ）、テレビジョンディスプレイ、フリップカメラ（flip-cam）、セキュリティビデオカメラ、デジタルビデオレコーダ（ＤＶＲ）、全地球測位システムデバイス、あるいはワイヤレスまたはワイヤード媒体を介して通信するように構成された他の好適なデバイスに組み込まれ得る。本開示のいくつかの態様によれば、アクセス端末は、ＩＥＥＥ８０２．１１ワイヤレス通信規格ファミリーに従って動作し得る。
【００３４】
図１は、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でも移動でもよく、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信し得る。システムコントローラ１３０は、アクセスポイントに結合し、アクセスポイントの調整および制御を提供する。
【００３５】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成され得る。この手法は、より新しいＳＤＭＡユーザ端末が適宜に導入されることを可能にしながら、より古いバージョンのユーザ端末（「レガシー」局）が企業に配備されたままであることを都合よく可能にし得、それらの有効寿命を延長することができる。
【００３６】
システム１００は、ダウンリンクおよびアップリンク上でのデータ伝送のために複数の送信アンテナと複数の受信アンテナとを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの独立セットなどを使用してデータシンボルストリームを多重化することができる場合、ＫはＮapよりも大きくすることができる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００３７】
ＳＤＭＡシステムは、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用し得る。各ユーザ端末は、（たとえば、コストを抑えるために）単一のアンテナを備えることができ、または（たとえば、追加費用をサポートすることができる場合）複数のアンテナを備えることができる。システム１００はまた、送信／受信を異なるタイムスロットに分割することによって、ユーザ端末１２０が同じ周波数チャネルを共有する場合、ＴＤＭＡシステムであってもよく、各タイムスロットは、異なるユーザ端末１２０に割り当てられる。
【００３８】
図２は、ＭＩＭＯシステム１００におけるアクセスポイント１１０と２つのユーザ端末１２０ｍおよび１２０ｘとのブロック図を示す。アクセスポイント１１０は、Ｎap個のアンテナ２２４ａ〜２２４ａｐを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。ここに使用するとき、「送信エンティティ」は、周波数チャネルを介してデータを送信することが可能な独立動作型の装置またはデバイスであり、「受信エンティティ」は、周波数チャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末が、アップリンク上の同時送信のために選択され、Ｎdn個のユーザ端末が、ダウンリンク上の同時送信のために選択され、ＮupはＮdnに等しくても等しくなくてもよく、ＮupおよびＮdnは静的な値であってもよく、または、スケジューリング間隔ごとに変化可能である。アクセスポイントおよびユーザ端末においてビームステアリングまたは何らかの他の空間処理技法が使用できる。
【００３９】
アップリンク上では、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータ｛ｄup,m｝を処理（たとえば、符号化、インターリーブ、および変調）し、データシンボルストリーム｛ｓup,m｝を提供する。ＴＸ空間プロセッサ２９０は、データシンボルストリーム｛ｓup,m｝に対して空間処理を実行し、Ｎut,m個の送信シンボルストリームをＮut,m個のアンテナに提供する。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイント１１０への送信のためのＮut,m個のアップリンク信号を提供する。
【００４０】
アップリンク上での同時伝送のためにＮup個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００４１】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信された信号をそれぞれの受信機ユニット（ＲＣＶＲ）２２２に提供する。各受信機ユニット２２２は、送信機ユニット２５４によって実行された処理を補足する処理を実行し、受信されたシンボルストリームを提供する。ＲＸ空間プロセッサ２４０は、Ｎap個の受信機ユニット２２２からのＮap個の受信されたシンボルストリームに対して受信機空間処理を実行し、Ｎup個の回復されたアップリンクデータシンボルストリームを提供する。受信機空間処理は、チャネル相関行列反転（ＣＣＭＩ）、最小平均２乗誤差（ＭＭＳＥ）、逐次干渉除去（ＳＩＣ）、または何らかの他の技法に従って実行される。各回復されたアップリンクデータシンボルストリーム｛ｓup,m｝は、それぞれのユーザ端末によって送信されたデータシンボルストリーム｛ｓup,m｝の推定値である。ＲＸデータプロセッサ２４２は、復号されたデータを得るために、そのストリームのために使用されたレートに応じて各回復されたアップリンクデータシンボルストリーム｛ｓup,m｝を処理（たとえば、復調、デインターリーブ、および復号）する。各ユーザ端末の復号されたデータは、記憶のためにデータシンク２４４に供給でき、および／またはさらなる処理のためにコントローラ２３０に供給できる。
【００４２】
ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータは様々なトランスポートチャネル上で送られ得る。ＴＸデータプロセッサ２１０は、そのユーザ端末のために選択されたレートに基づいて各ユーザ端末のトラフィックデータを処理（たとえば、符号化、インターリーブ、および変調）する。ＴＸデータプロセッサ２１０は、Ｎdn個のダウンリンクデータシンボルストリームをＮdn個のユーザ端末に提供する。ＴＸ空間プロセッサ２２０は、Ｎdn個のダウンリンクデータシンボルストリームに対して空間処理を実行し、Ｎap個の送信シンボルストリームをＮap個のアンテナに提供する。各送信機ユニット（ＴＭＴＲ）２２２は、ダウンリンク信号を発生するために、それぞれの送信シンボルストリームを受信し、処理する。Ｎap個の送信機ユニット２２２は、Ｎap個のアンテナ２２４からユーザ端末への送信のためのＮap個のダウンリンク信号を提供する。
【００４３】
各ユーザ端末１２０において、Ｎut,m個のアンテナ２５２は、アクセスポイント１１０からＮap個のダウンリンク信号を受信する。各受信機ユニット（ＲＣＶＲ）２５４は、関連するアンテナ２５２からの受信された信号を処理し、受信されたシンボルストリームを提供する。ＲＸ空間プロセッサ２６０は、Ｎut,m個の受信機ユニット２５４からのＮut,m個の受信されたシンボルストリームに対して受信機空間処理を実行し、回復されたダウンリンクデータシンボルストリーム｛ｓdn,m｝をユーザ端末に提供する。受信機空間処理は、ＣＣＭＩ、ＭＭＳＥ、または何らかの他の技法に従って実行される。ＲＸデータプロセッサ２７０は、ユーザ端末のための復号されたデータを得るために、回復されたダウンリンクデータシンボルストリームを処理（たとえば、復調、デインターリーブ、および復号）する。
【００４４】
各ユーザ端末１２０において、Ｎut,m個のアンテナ２５２は、アクセスポイント１１０からＮap個のダウンリンク信号を受信する。各受信機ユニット（ＲＣＶＲ）２５４は、関連するアンテナ２５２からの受信された信号を処理し、受信されたシンボルストリームを提供する。ＲＸ空間プロセッサ２６０は、Ｎut,m個の受信機ユニット２５４からのＮut,m個の受信されたシンボルストリームに対して受信機空間処理を実行し、回復されたダウンリンクデータシンボルストリーム｛ｓdn,m｝をユーザ端末に提供する。受信機空間処理は、ＣＣＭＩ、ＭＭＳＥ、または何らかの他の技法に従って実行される。ＲＸデータプロセッサ２７０は、ユーザ端末のための復号されたデータを得るために、回復されたダウンリンクデータシンボルストリームを処理（たとえば、復調、デインターリーブ、および復号）する。
【００４５】
図３は、システム１００内で採用できるワイヤレスデバイス３０２において利用され得る様々なコンポーネントを示す。ワイヤレスデバイス３０２は、ここに説明する様々な方法を実装するように構成され得るデバイスの一例である。ワイヤレスデバイス３０２はアクセスポイント１１０またはユーザ端末１２０であり得る。
【００４６】
ワイヤレスデバイス３０２は、ワイヤレスデバイス３０２の動作を制御するプロセッサ３０４を含み得る。プロセッサ３０４は中央処理装置（ＣＰＵ）と呼ばれることもある。読み取り専用メモリ（ＲＯＭ）とランダムアクセスメモリ（ＲＡＭ）の両方を含み得るメモリ３０６は、命令とデータとをプロセッサ３０４に提供する。メモリ３０６の一部は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、ここに説明する方法を実装するために実行可能であり得る。
【００４７】
ワイヤレスデバイス３０２は、ワイヤレスデバイス３０２と別のワイヤレスノード（たとえば、遠隔地内の別のワイヤレスノード）との間のデータの送信および受信を可能にするために、送信機３１０と受信機３１２とを含み得るハウジング３０８をも含み得る。送信機３１０と受信機３１２とは、組み合わされてトランシーバ３１４になり得る。複数の送信アンテナ３１６は、ハウジング３０８に取り付けられ得、トランシーバ３１４に電気的に結合され得る。ワイヤレスデバイス３０２は、複数の送信機、複数の受信機、複数のトランシーバをも含み得る（図示せず）。
【００４８】
ワイヤレスデバイス３０２はまた、トランシーバ３１４によって受信された信号のレベルを検出および定量化することができる信号検出器３１８を含み得る。信号検出器３１８は、総エネルギー、シンボルごとのサブキャリア当たりのエネルギー、電力スペクトル密度および／または他の定量化メトリクスを使用して、そのような信号の検出を定量化し得る。ワイヤレスデバイス３０２はまた、信号を処理する際に使用するためのデジタル信号プロセッサ（ＤＳＰ）３２０を含み得る。
【００４９】
ワイヤレスデバイス３０２の様々なコンポーネントは、データバスに加えて、パワーバスと、制御信号バスと、ステータス信号バスとを含み得るバスシステム３２２によって結合され得る。
【００５０】
本開示のいくつかの態様を、Ｗｉ−Ｆｉ技術に適用することができる。他のワイヤレス技術もまた、テレビジョンホワイトスペース（ＴＶＷＳ）における同様の問題点を有することがある。
【００５１】
ビル内で良いカバレージを提供するために、図１から図２のアクセスポイント（ＡＰ）１１０など、１つまたは複数のＡＰ、および／または、図３のワイヤレスデバイス３０２は、ビルの全体にわたって設置される必要があり得る。ビルの良いカバレージを得るために、これらのＡＰは、窓の近くの、ビルの端部のみでなく、ビルの中央に向かって配置される必要があり得る。しかしながら、これは問題であることがあり、その理由は、これらのＡＰが、典型的には、ジオロケーション機能とＴＶＷＳデータベースへのアクセスとをもつモードＩＩデバイスである必要があり得るからである。これらのＡＰは、次いで、ポータブルモードＩデバイス（たとえば、ラップトップコンピュータ、携帯電話など）がＴＶＷＳ内で送信できるようにすることができる。本開示のいくつかの態様によれば、ポータブルモードＩデバイスは、図１から図２に示すユーザ端末１２０、および／または、図３のワイヤレスデバイス３０２であってもよい。
【００５２】
モードＩＩアクセスポイントがビルの中央に向かって設置される場合、５０メートルの精度で全地球測位システム（ＧＰＳ）ロックを得ること（すなわち、ＧＰＳ接続を確立すること）ができなくなる可能性がある。これらのモードＩＩ  ＡＰがＧＰＳロックを維持することができない場合、ＡＰは送信することができず、モードＩクライアント（たとえば、図１から図２のユーザ端末１２０）が送信できるようにすることができない。モードＩＩデバイスは、６０秒ごとにそのロケーションをチェックする必要があり得る。ジオロケーションの知識が失われる場合、ネットワークは、もはやＴＶＷＳを利用することができない。さらに、ＧＰＳロックの損失は、ネットワーク全体を落とす(bring down)ことがある。いくつかの屋内環境では、通常のＧＰＳは、ロケーションを計算するために十分な衛星を検出するために、十分に感度が高くないことがある。高感度のＧＰＳを構築することは、あり得ることであるが、セルラー受信機と大量の並列相関器とを使用する（たとえば、最高１６，０００個の相関器を利用する）、アシスト型ＧＰＳを必要とすることがある。
【００５３】
一方、すべてのモードＩＩ  ＡＰを、ＧＰＳカバレージが可能となるビルの端部の近くに配置することは、極めて非効率的である。この手法は、極めて不十分なカバレージを提供することがあり、許容可能なネットワーク性能を提供しないことがある。自宅で、またはアパートで、モードＩＩ  ＡＰは、使用不可能であり得る。加えて、いくつかの適用例では、モードＩＩデバイスが特定の機能を行う場合、このデバイスは、ある室内にある必要があり得、したがって、モードＩＩデバイスを窓の近くに配置することが可能でないことがある。
【００５４】
テレビジョンホワイトスペース（ＴＶＷＳ）内の動作
低レートＴＶＷＳイネーブラは、その動作について本開示で最初に説明される新規のデバイスである。このデバイスは、ＡＰ配置の問題と、あるフロア、さらにはビル全体のためのＧＰＳ接続をゆるめる問題とを解決することが可能である。本開示のいくつかの態様によれば、図１から図２のアクセスポイント１１０、および／または、図３のワイヤレスデバイス３０２など、ＴＶＷＳイネーブラが構成され得る。一態様では、低レートＴＶＷＳイネーブラは、以下の特徴、すなわち、ＧＰＳ受信機（たとえば、図２の受信機２２２がＧＰＳ受信機として動作することができる）と、インターネットアクセスと、直接シーケンススペクトラム拡散（ＤＳＳＳ）またはＯＦＤＭのいずれかを使用する低レートトランシーバ（たとえば、図２のトランシーバＴＭＴＲ／ＲＣＶＲ２２２は、低レートＤＳＳＳトランシーバとして、または低レートＯＦＤＭトランシーバとして動作することができる）とを備え得る。
【００５５】
本開示のいくつかの態様によれば、低レートＴＶＷＳイネーブラデバイスは、良いＧＰＳ接続が、たとえば、５０メートルの精度で維持され得る、窓の近くのビルの内部に配置され得る。このデバイスはまた、それがモードＩＩ  ＴＶホワイトスペースデバイスとして動作することができるように、インターネットアクセスをも有してもよい。上述のように、このデバイスは、低データレートＤＳＳＳトランシーバを備えてもよく、ここにおいてＤＳＳＳ信号のデータレートは、典型的にはＷｉ−Ｆｉアクセスポイントによって使用されるものよりもはるかに低くなり得る。たとえば、データレートは、毎秒約１０キロビットまたは毎秒約１００キロビットであり得る。しかしながら、信号は狭帯域信号ではあり得ず、その理由は、もしそうであれば、送信電力が、電力スペクトル密度制限のＦＣＣ規制に基づいて、厳格に制限されるようになるからである。したがって、低データレート信号は、信号の電力を６ＭＨｚのＴＶチャネルの大部分にわたって分散させるために、より高いレートのチップシーケンスによって拡散され得る。ＤＳＳＳを利用することによって、送信電力が電力制限の近くで高く保たれ得るが、データレートを低く保つことによって、カバレージを大きくすることができる。ＤＳＳＳ物理（ＰＨＹ）レイヤを採用することの代替として、低レートＴＶＷＳイネーブラは、信号帯域幅をなお維持しながら、ＯＦＤＭ信号のデータレートを下げるために、反復符号を使用する、ＯＦＤＭ  ＰＨＹを利用し得る。異なる媒体アクセス制御（ＭＡＣ）レイヤ技術を、ＩＥＥＥ８０２．１１ＭＡＣなど、低レートＰＨＹとともに利用することができる。
【００５６】
低データレートで動作することによって、ＴＶＷＳイネーブラは、ビルのフロア全体またはビル全体でモードＩデバイスと通信することができる。低レートＴＶＷＳイネーブラがフロアまたはビル全体で送信有効化を提供することで、ＴＶＷＳ  Ｗｉ−Ｆｉアクセスポイントは、次にモードＩ  ＴＶＷＳデバイスとして動作することができ、ジオロケーション機能を必要としないことがある。これらのモードＩ  ＡＰは、次に、低レートＴＶＷＳイネーブラから有効化信号を受信することができる、ビルの内部のどこにでも配置され得る。加えて、Ｗｉ−Ｆｉクライアントデバイス（ユーザ局（ＳＴＡ））もまた、ＳＴＡにワイヤレスアクセスを提供するアクセスポイントからではなく、低レートＴＶＷＳイネーブラからそれらの有効化信号を受信することができる。
【００５７】
本開示の一態様では、低レートＴＶＷＳイネーブラは、すべてのモードＩデバイス（ＡＰおよびＳＴＡ）のための最初の有効化を提供することができ、ならびに、コンタクト検証信号（ＣＶＳ）を定期的に送信して、モードＩデバイスがＴＶＷＳ動作を継続するために有効化されるように保つことができる。
【００５８】
図４は、本開示のいくつかの態様による、低レートＴＶＷＳイネーブラ、モードＩアクセスポイントおよびモードＩユーザＳＴＡの例示的な配置４００を示す。図４は、オフィスビルを示すが、同じ手法を、いかなる屋内ロケーション（たとえば、モール、集合住宅、家など）にも適用することができる。たとえば、集合住宅では、１つの低レートＴＶＷＳイネーブラが複数のアパートを有効化することができる。
【００５９】
低レートＴＶＷＳイネーブラ
起動時、低レートＴＶＷＳイネーブラは、ＧＰＳ接続を確立することができ、ＧＰＳ情報に基づいてその地理的ロケーションを決定することができる。次いで、それは、ＴＶＷＳデータベースにコンタクトし得、このロケーションにおいて利用可能なＴＶチャネルのリストを得ることができる。その後、ＴＶＷＳイネーブラは、利用可能なＴＶＷＳチャネルのうちの１つ（たとえば、チャネルＡ）を選択することができ、それが有効化を提供できることを公示する信号（たとえば、有効化ビーコン）をブロードキャストすることができる。本開示の一態様では、有効化ビーコンは、ＴＶＷＳイネーブラがＴＶＷＳ有効化を提供することを示す情報要素をもつ、ＩＥＥＥ８０２．１１ビーコンであってもよい。ＴＶＷＳイネーブラは、低レートＰＨＹを使用して、有効化公示（enablement advertisement）信号を送信し得、送信された信号（すなわち、低レート信号）が広い領域（たとえば、ビル全体）で聞かれ得るようにすることができる。有効化公示信号を送信した後、ＴＶＷＳイネーブラは、モードＩ  ＡＰまたはモードＩ  ＳＴＡのいずれかによってコンタクトされることを待機することができる。
【００６０】
低レートイネーブラが専用チャネル上で動作し、モードＩ  ＡＰのいずれもそのチャネル上で動作中でないようにする場合、低レートイネーブラは、有効化ビーコンを頻繁に送信し、このビーコンが新しいＡＰまたはＳＴＡによって迅速に検出され得るようにすることができる。しかしながら、ＴＶＷＳチャネルがわずかしかない場合、低レートイネーブラは、同じチャネル上で動作するＡＰ／ＳＴＡに過度の干渉を引き起こさないように、有効化ビーコンをより低い頻度で送信することができる。低レートイネーブラが共有されたチャネル上で動作する場合、それはＡＰにそのチャネル上で有効化ビーコンのスケジュールを送信し得、新しいＡＰ／ＳＴＡが有効化ビーコンを聞くことができるように、すべてのＡＰ／ＳＴＡが有効化ビーコン中に沈黙する（すなわち、送信中でない）ことが可能になるようにすることができる。
【００６１】
本開示の一態様では、モードＩ  ＡＰは、有効化ビーコンのスケジュールに従って「自身への送信可（ＣＴＳ）−ｔｏ−Ｓｅｌｆ」メッセージを送信するように構成され得る。次いで、ＡＰに関連付けられたＳＴＡの各々は、共有チャネル上で、「ＣＴＳ−ｔｏ−Ｓｅｌｆ」メッセージを受信することが可能になり得、「ＣＴＳ−ｔｏ−Ｓｅｌｆ」メッセージの受信に基づいて、ＴＶＷＳ通信を控えることが可能になり得る。
【００６２】
モードＩ  ＡＰ／ＳＴＡによってコンタクトされると、ＴＶＷＳイネーブラは、モードＩ  ＡＰ／ＳＴＡのＦＣＣ識別子（ＩＤ）を受信し得、検証のためにそのＦＣＣ  ＩＤをＴＶＷＳデータベースへ送ることができ、検証を受信した後、それは利用可能なＴＶチャネルのリストをモードＩ  ＡＰ／ＳＴＡに提供することができる。利用可能なチャネルのリストをモードＩ  ＡＰ／ＳＴＡへ送信した後、低レートＴＶＷＳイネーブラは、モードＩ  ＡＰ／ＳＴＡへ「占有チャネルリスト」を送信することができる。このリストは、低レートイネーブラによって有効化されたモードＩ  ＡＰによって使用するために以前に選択されているチャネルと、低レートイネーブラによって使用するために最初に選択されたチャネル（たとえば、チャネルＡ）とのリストを備え得る。占有チャネルリストは、図５に示すように、３つの異なるチャネルＡ、ＢおよびＣについての、チャネルの中心周波数とチャネル帯域幅の両方を備え得る。これが、低レートイネーブラによって有効化された最初のＡＰである場合、占有チャネルリストは、低レートイネーブラによって最初に選択されたチャネル（たとえば、チャネルＡ）のみを備え得る。
【００６３】
有効化されたデバイスがモードＩ  ＡＰである場合、ＡＰは、動作のチャネル（たとえば、チャネルＢ）を選択することができる。その選択を行った後、ＡＰは、それが動作のためにチャネルＢを選択したことを、低レートイネーブラに返信することができる。低レートイネーブラは、次いで、そのチャネルを占有チャネルリストに追加することができ、すなわち、占有チャネルリストは、ここで、チャネルＡとチャネルＢとを備え得る。
【００６４】
ＡＰがその動作のチャネルを選択した後、低レートイネーブラは、そのチャネル上でＣＶＳの送信期間についての情報とともに、ＡＰへメッセージを送信することができる。ＡＰは、その後、この情報を利用して、スリープモードであるＳＴＡをウェイクアップさせ、ＳＴＡがＣＶＳメッセージを受信可能になり得るようにすることができる。
【００６５】
有効化されつつあるデバイスがモードＩ  ＳＴＡ（クライアント）である場合、ＳＴＡは、ＴＶＷＳ通信のために利用可能なＡＰを求めて探索するために、占有チャネルリストを使用することができる。この占有チャネルリストを有することで、ＳＴＡがＡＰを発見するために必要とされる時間を実質的に短縮することができ、その理由は、多数の可能なチャネル中心周波数および帯域幅があり得るからである。占有チャネルリストがなければ、すべてのそれらのチャネル中心周波数および帯域幅にわたって探索することは、時間がかかることがある。
【００６６】
本開示の一態様では、低レートイネーブラは、ＦＣＣによって定められているように、６０秒ごとにそのＧＰＳロケーションをチェックすることができる。一態様では、低レートイネーブラは、ＦＣＣによって定められているように、２４時間ごとにＴＶＷＳデータベースをチェックすることができる。
【００６７】
いずれかのＡＰをＴＶＷＳ通信のために有効化するより前には、低レートイネーブラは、その最初に選択されたチャネル（たとえば、チャネルＡ）上でのみ送信することができる。低レートイネーブラが、異なるチャネル（たとえば、チャネルＢ）上で動作中であり得るＡＰを有効化すると、低レートイネーブラは、ＦＣＣによって指定されているように、周期的にＣＶＳを送信する必要があり得る。一態様では、低レートイネーブラは、そのチャネル（チャネルＢ）上で、ＣＶＳ信号のためのスケジュールとともに、メッセージをＡＰへ送信することができる。一態様では、ＡＰは、スケジュールされたＣＶＳ中に、それ自体とその関連付けられたＳＴＡとのための静穏時間（quiet time）をスケジュールすることができる。次いで、ＡＰおよびＳＴＡは、スケジュールされた時間中にＣＶＳを受信可能になり得る。一態様では、低レートイネーブラは、有効化されたＡＰによって占有されたチャネル（チャネルＢ）に同調し得、そのチャネル上でＣＶＳを送信することができる。
【００６８】
一態様では、ＡＰは、ＣＶＳ信号のためのスケジュールに従って、「ＣＴＳ−ｔｏ−Ｓｅｌｆ」メッセージを送信することによって、スケジュールされたＣＶＳ中に、その関連付けられたＳＴＡのための静穏時間をスケジュールすることができる。次いで、ＡＰに関連付けられたＳＴＡの各々は、低レートＴＶＷＳイネーブラからＣＶＳを送信する周期性で、「ＣＴＳ−ｔｏ−Ｓｅｌｆ」メッセージを受信することが可能であり得る。そのＳＴＡは、受信された「ＣＴＳ−ｔｏ−Ｓｅｌｆ」メッセージに基づいて、ＣＶＳの受信中にＡＰとのチャネルＢ上のＴＶＷＳ通信を控えることができる。
【００６９】
複数のＡＰが有効化されており、別々のチャネル上で動作する場合、低レートイネーブラは、ＡＰによって占有されたチャネルの各々に周期的に同調し得、ＣＶＳメッセージを送信することができる。図６は、低レートイネーブラおよびすべての有効化されたＡＰの組合せが３つのチャネル（チャネルＡ、チャネルＢおよびチャネルＣ）のセットを利用することができる場合の、（たとえば、低レートイネーブラによって行われる）チャネル間の切り替えの一例を示す。図６に示すように、低レートイネーブラは、時間期間Ｔでチャネルのセットを巡回することができる。一態様では、このサイクル期間は、低レートイネーブラが１分間に複数回、各チャネルに同調できるように、１分の何分の１かであり得る。
【００７０】
たとえば、図６に示すように、低レートイネーブラは、時間期間Ｔ１の間にチャネルＡを占有することができ、その間、それは、有効化公示を送信し得、新しいＡＰおよびＳＴＡが低レートイネーブラを発見し、最初の有効化を得ることを可能にすることができる。次いで、低レートイネーブラは、時間期間Ｔ２の間にチャネルＢ上で動作することができ、その間、それは、ＣＶＳ信号を送信し得、そのチャネル上で動作するすべてのＡＰおよびＳＴＡがＣＶＳ信号を受信可能になり得るようにすることができる。その後、低レートイネーブラは、時間期間Ｔ３の間にチャネルＣ上で動作することができ、その間、それは、ＣＶＳ信号を送信し得、チャネルＣ上で動作するＡＰおよびＳＴＡがＣＶＳ信号を受信可能になり得るようにすることができる。一態様では、ＣＶＳを送信するために必要とされる時間があまり長くないことがあるので、時間期間Ｔ２およびＴ３は、時間期間Ｔ１よりもはるかに短いことがある。この場合、低レートイネーブラは、新しいＡＰおよびＳＴＡがそれを発見することができるチャネルＡ上で、時間の大部分で動作することができる。
【００７１】
モードＩアクセスポイント
起動時、モードＩ  ＡＰは、低レートイネーブラを求めて複数のＴＶチャネルの各々を探索することができる。低レートイネーブラが検出されるとき、モードＩ  ＡＰは、低レートイネーブラへ、低レートイネーブラによって使用されたチャネル上で、有効化を求める要求を送ることができる。有効化要求とともに、モードＩ  ＡＰは、そのＦＣＣ  ＩＤを含めることができる。利用可能なＴＶチャネルのリストと占有チャネルリストとを、低レートイネーブラから受信した後、モードＩ  ＡＰは、使用するためのチャネルを選択することができる。ＡＰは、他のＡＰが同じチャネルを共有しないように、他のＡＰによって現在占有されていないチャネルを選ぶようになる可能性が高いが、モードＩ  ＡＰはまた、そこから選ぶための限られた数のチャネルがある場合、占有チャネルリスト内でチャネルを選ぶこともできる。
【００７２】
動作のためのチャネルを選択した後、モードＩ  ＡＰは、低レートイネーブラへ、どのチャネルをそれが動作のために選択したかについての情報（たとえば、そのチャネルの中心周波数および帯域幅）を送信することができる。一態様では、モードＩ  ＡＰは、送信方向と受信方向の両方で低レートＰＨＹ（たとえば、低レートＯＦＤＭ  ＰＨＹまたは低レートＤＳＳＳ  ＰＨＹ）を使用して、低レートイネーブラと通信することができる。チャネル情報を低レートイネーブラへ送信した後、モードＩ  ＡＰは、選択されたチャネル上で通常動作を開始することができる。本開示の一態様では、モードＩ  ＡＰは、ＣＶＳスケジュール中に、それ自体とすべてのその関連付けられたＳＴＡとのための静穏時間をスケジュールすることができる。
【００７３】
周期的に、モードＩ  ＡＰは、低レートイネーブラからＣＶＳ信号を受信することができる。それが、６０秒を超える時間期間の間にＣＶＳを受信しない場合、ＡＰは、低レートイネーブラによって占有された元のチャネル（たとえば、チャネルＡ）にスイッチバックされることができ、それは新しいＴＶＷＳ有効化を要求することができる。
【００７４】
本開示の一態様では、モードＩ  ＡＰは、ビーコン内で、低レートイネーブラの周波数を送信することができる。このようにして、新しいＳＴＡが到着し、ＡＰビーコンを聞くとき、そのＳＴＡは、どのチャネル上で低レートイネーブラを発見すべきかを知ることができる。これによって、ＳＴＡによって最初の有効化を得るために必要とされる時間を短縮することができる。一態様では、ビーコンはまた、低レートイネーブラのＭＡＣアドレスをも備え得る。
【００７５】
モードＩユーザ局（ＳＴＡ）
モードＩ  ＳＴＡは、低レートイネーブラまたはモードＩ  ＡＰを求めて探索することによって、その動作を開始することができる。モードＩ  ＳＴＡが、モードＩ  ＡＰがそのビーコン内で低レートイネーブラの周波数を公示することを聞く場合、ＳＴＡは、その周波数に同調することができる。次いで、ＳＴＡが低レートイネーブラから送信された有効化ビーコンを聞くと、ＳＴＡは、低レートイネーブラによって使用された同じチャネル上で、そのＦＣＣ  ＩＤとともに、有効化要求を送信することができる。ＳＴＡが、利用可能なチャネルのリストと占有チャネルリストとを、低レートＴＶＷＳイネーブラから受信した後、ＳＴＡは、次いで、占有チャネルリスト内でリストされたチャネル上で、モードＩ  ＡＰを求めて探索することができる。本開示の一態様では、モードＩ  ＳＴＡは、送信方向と受信方向の両方で低レートＰＨＹ（たとえば、低レートＯＦＤＭ  ＰＨＹまたは低レートＤＳＳＳ  ＰＨＹ）を使用して、低レートイネーブラと通信することができる。
【００７６】
ＳＴＡは、有効化をすでに受信しているので、それは、ＡＰを求めて探索するために、アクティブスキャンまたはパッシブスキャンのいずれかを利用し得る。アクティブスキャンを使用することによって、ＳＴＡは、はるかに速くＡＰを発見することができる。その後、ＳＴＡは、多数の基準のうちの１つに基づいて、たとえば、受信信号強度に基づいて、ＴＶＷＳ通信のためにＡＰとの関連付けを行うことができる。モードＩ  ＡＰとの関連付け手順が完了されると、ＳＴＡは、通常動作を行うことができる。一態様では、ＳＴＡは、ＣＶＳスケジュール中にその送信を静める(quiet)ことができ、それは、ＡＰから受信され得る。周期的に、ＳＴＡは、低レートイネーブラからＣＶＳ信号を受信することができる。それが、６０秒を超える期間の間にＣＶＳを受信しない場合、ＳＴＡは、低レートイネーブラによって占有された元のチャネル（たとえば、チャネルＡ）に復帰(return)し得、新しい有効化を要求することができる。
【００７７】
図７は、本開示のいくつかの態様による、低レートＴＶＷＳイネーブラにおいて（すなわち、モードＩＩアクセスポイントにおいて）行われ得る例示的な動作７００を示す。７０２で、低レートＴＶＷＳイネーブラは、その地理的ロケーションを決定することができる。７０４で、低レートＴＶＷＳイネーブラは、ＴＶＷＳ通信をサポートする複数のＴＶＷＳチャネルのうちのチャネルのリストを得ることができ、ここにおいてそのリストからのチャネルは、その地理的ロケーションにおいて使用するために利用可能であり得る。７０６で、低レートＴＶＷＳイネーブラは、複数の装置（たとえば、モードＩアクセスポイントおよびモードＩ局）に到達することが可能なデータレートを有する信号を生成することができ、ここにおいてその信号は、それらの装置にＴＶＷＳ通信のための有効化を公示することができる。７０８で、低レートＴＶＷＳイネーブラは、リストからの第１のチャネルを使用して、そのデータレート信号をそれらの装置へ送信することができる。一態様では、ＴＶＷＳイネーブラまたは複数の装置のうちの少なくとも１つは、ＴＶＷＳ内で動作するＴＶＢＤを備える。
【００７８】
本開示の一態様では、低レートＴＶＷＳイネーブラは、第１のチャネル上で複数の装置のサブセットから、その複数の装置のサブセットにおいてＴＶＷＳ通信を有効化するための１つまたは複数の要求を受信することができる。さらに、低レートＴＶＷＳイネーブラは、サブセットからの各装置に関連付けられたＩＤを受信することができる。次いで、低レートＴＶＷＳイネーブラは、要求に応答して、第１のチャネル上で、サブセットからの１つまたは複数の装置にチャネルのリストを送信することができ、ここにおいて１つまたは複数の装置の各々は、検証されたＩＤに関連付けられ得る。
【００７９】
図７Ａは、本開示のいくつかの態様による、例示的なコンポーネントを使用して低レートＴＶＷＳイネーブラにおいて（たとえば、図２のアクセスポイント１１０において、および／または、図３のワイヤレスデバイス３０２において）行われ得る例示的な動作７００Ａを示す。７０２Ａで、低レートＴＶＷＳイネーブラの第１の回路（たとえば、図２のコントローラ２３０および／または図３の信号検出器３１８）は、その地理的ロケーションを決定するように構成され得る。７０４Ａで、低レートＴＶＷＳイネーブラの第２の回路（たとえば、コントローラ２３０および／または信号検出器３１８）は、ＴＶＷＳ通信をサポートする複数のＴＶＷＳチャネルのうちのチャネルのリストを得るように構成され得、ここにおいてそのリストからのチャネルは、その地理的ロケーションにおいて使用するために利用可能であり得る。７０６Ａで、低レートＴＶＷＳイネーブラの第３の回路（たとえば、図２のＴＸデータプロセッサ２１０および／または図３のプロセッサ３０４）は、複数の装置（たとえば、モードＩアクセスポイントおよびモードＩ局）に到達することが可能なデータレートを有する信号を生成するように構成され得、ここにおいてその信号は、それらの装置にＴＶＷＳ通信のための有効化を公示することができる。７０８Ａで、低レートＴＶＷＳイネーブラのトランシーバ（たとえば、図２のトランシーバ２２２および／または図３のトランシーバ３１４）は、リストからの第１のチャネルを使用して、そのデータレート信号をそれらの装置へ送信するように構成され得る。
【００８０】
図８は、本開示のいくつかの態様による、装置（たとえば、モードＩアクセスポイント）において行われ得る他の例示的な動作８００を示す。８０２で、アクセスポイントは、ＴＶＷＳ通信をサポートする複数のＴＶＷＳチャネルを、ＴＶＷＳチャネルのうちの第１のチャネル上で別の装置から（たとえば、低レートＴＶＷＳイネーブラから）送信された信号を求めて探索することができ、ここにおいてその信号は、ＴＶＷＳ通信のための有効化を公示するために複数の装置（たとえば、モードＩアクセスポイントおよびモードＩ局）に到達することが可能であり得る。８０４で、アクセスポイントは、探索に基づいて、その信号と第１のチャネルとを検出することができる。８０６で、アクセスポイントは、検出時に前記別の装置へ、第１のチャネルを使用して、有効化を求める要求を送信することができる。一態様では、その装置、前記別の装置、または複数の装置のうちの少なくとも１つは、ＴＶＷＳ内で動作するＴＶＢＤを備える。
【００８１】
図８Ａは、本開示のいくつかの態様による、例示的なコンポーネントを使用してモードＩアクセスポイントにおいて（たとえば、図２のアクセスポイント１１０において、および／または、図３のワイヤレスデバイス３０２において）行われ得る例示的な動作８００Ａを示す。８０２Ａで、アクセスポイントの第１の回路（たとえば、図２のＲＣＶＲユニット２２２および／または図３の受信機３１２）は、ＴＶＷＳ通信をサポートする複数のＴＶＷＳチャネルを、ＴＶＷＳチャネルのうちの第１のチャネル上で別の装置から（たとえば、低レートＴＶＷＳイネーブラから）送信された信号を求めて探索するように構成され得、ここにおいてその信号は、ＴＶＷＳ通信のための有効化を公示するために複数の装置（たとえば、モードＩアクセスポイントおよびモードＩ局）に到達することが可能であり得る。８０４Ａで、アクセスポイントの第２の回路（たとえば、図２のＲＸデータプロセッサ２４２および／または図３の信号検出器３１８）は、探索に基づいて、その信号と第１のチャネルとを検出するように構成され得る。８０６Ａで、アクセスポイントのトランシーバ（たとえば、図２のトランシーバ２２２および／または図３のトランシーバ３１４）は、検出時に前記別の装置へ、第１のチャネルを使用して、有効化を求める要求を送信するように構成され得る。
【００８２】
図９は、本開示のいくつかの態様による、装置（たとえば、モードＩ  ＳＴＡ）において行われ得る例示的な動作９００を示す。９０２で、ＳＴＡは、ＴＶＷＳ通信をサポートする複数のＴＶＷＳチャネルを、ＴＶＷＳチャネルのうちの第１のチャネル上で別の装置から（たとえば、低レートＴＶＷＳイネーブラから）送信された信号を求めて探索することができ、ここにおいてその信号は、ＴＶＷＳ通信のための有効化を公示するために複数の装置（たとえば、モードＩアクセスポイントおよびモードＩ  ＳＴＡ）に到達することが可能であり得る。９０４で、ＳＴＡは、その信号と第１のチャネルとを検出すると、第１のチャネルを使用して前記別の装置へ、有効化を求める要求を送信することができる。９０６で、ＳＴＡは、要求に応答して前記別の装置から、複数の装置のサブセットによって使用中である、複数のＴＶＷＳチャネルのうちのチャネルのリストを受信することができる。９０８で、ＳＴＡは、リストからのチャネル上で、サブセットのうちの通信中の装置を求めて探索することができる。一態様では、その装置、前記別の装置、または複数の装置のうちの少なくとも１つは、ＴＶＷＳ内で動作するＴＶＢＤを備える。
【００８３】
図９Ａは、本開示のいくつかの態様による、例示的なコンポーネントを使用してモードＩユーザ局（ＳＴＡ）において（たとえば、図２のユーザ端末１２０において、および／または、図３のワイヤレスデバイス３０２において）行われ得る例示的な動作９００Ａを示す。９０２Ａで、ＳＴＡの第１の回路（たとえば、図２のＲＣＶＲユニット２５４および／または図３の受信機３１２）は、ＴＶＷＳ通信をサポートする複数のＴＶＷＳチャネルを、ＴＶＷＳチャネルのうちの第１のチャネル上で別の装置から（たとえば、低レートＴＶＷＳイネーブラから）送信された信号を求めて探索するように構成され得、ここにおいてその信号は、ＴＶＷＳ通信のための有効化を公示するために複数の装置（たとえば、モードＩアクセスポイントおよびモードＩ  ＳＴＡ）に到達することが可能であり得る。９０４Ａで、ＳＴＡのトランシーバ（たとえば、図２のトランシーバ２５４および／または図３のトランシーバ３１４）は、その信号と第１のチャネルとを検出すると、第１のチャネルを使用して前記別の装置へ、有効化を求める要求を送信するように構成され得る。９０６Ａで、ＳＴＡのトランシーバはまた、要求に応答して前記別の装置から、複数の装置のサブセットによって使用中である、複数のＴＶＷＳチャネルのうちのチャネルのリストを受信するように構成され得る。９０８Ａで、ＳＴＡの第１の回路はまた、リストからのチャネル上で、サブセットのうちの通信中の装置を求めて探索するように構成され得る。
【００８４】
コンタクト検証信号および有効化フレームのスケジューリング
本開示のいくつかの態様によれば、低レートイネーブラ（ＬＲＥ）の低レートＰＨＹは、従属ＳＴＡおよび／またはＡＰがＬＲＥを発見できるようにするために、有効化フレーム（ＥＦ）とＣＶＳとをパケットとして送信することができる。しかしながら、ＬＲＥは有効化されたデバイスからの送信の一部を検出できないことがあるので（それらが高ＰＨＹレートで送信されることがあるので）、ＬＲＥは、キャリア検知を行うことができないことがあり、そのような送信に従うことができないことがある。延期(deferral)のための機構の不在時に、ＥＦが現在の送信と衝突する確率は、高くなり得る。本開示のいくつかの態様は、ＥＦと他のネットワークトラフィックとの衝突を回避するための方法をサポートする。
【００８５】
図１０は、本開示のいくつかの態様による、ＥＦまたはＣＶＳの送信をカバーするために、「ＣＴＳ−ｔｏ−Ｓｅｌｆ」フレームを送信するアクセスポイントの例示的な手順１０００を示す。第１のステップで、ＬＲＥによって有効化された各ＡＰは、ＬＲＥによるＥＦおよびＣＶＳの送信の間隔を得ることができる。第２のステップで、ＣＶＳまたはＥＦのスケジュールされた到着の前の時刻Ｔで、ＡＰは、少なくとも、ＥＦおよび／またはＣＶＳの送信時間までの、およびその送信時間を含む持続時間をカバーするために十分長い持続時間フィールド設定をもつ、「ＣＴＳ−ｔｏ−Ｓｅｌｆ」または任意の他のフレームを送信することができる。一態様では、キャリア検知多重アクセス（ＣＳＭＡ）コンテンション手順を、「ＣＴＳ−ｔｏ−Ｓｅｌｆ」メッセージの送信のために利用することができる。加えて、時刻Ｔは、異なるＡＰが「ＣＴＳ−ｔｏ−Ｓｅｌｆ」メッセージの送信において衝突しないことを保証するために、一定値と乱数値との和に等しくなり得る。「ＣＴＳ−ｔｏ−Ｓｅｌｆ」メッセージを受信するＳＴＡは、持続時間フィールドで示されたある時間期間の間にＴＶＷＳ通信を控えることができる。
【００８６】
ＥＦ／ＣＶＳは、コンテンションによって送信され得るので、厳密な時間がアプリオリに知られないことがあることに留意されたい。したがって、ＡＰは、コンテンション時間を考慮するために十分な余裕をもって、持続時間フィールドを設定することができる。最後のステップで、ＥＦまたはＣＶＳが送信されると、ＡＰは、次いで、それが予約し過ぎる（over-reserved）ことがある持続時間のいずれかを回復するために、コンテンションフリー終了（ＣＦ−Ｅｎｄ：Contention-Free End）フレームを送信することができる。ＣＦ−Ｅｎｄフレームを受信するＳＴＡは、図１０に示すように、受信されたＣＦ−Ｅｎｄフレームに基づいて、そのネットワーク割振りベクトル（ＮＡＶ）カウンタをリセットするように構成され得る。
【００８７】
省電力モードの局のためのＣＶＳメッセージのスケジューリング
本開示の一態様では、低レートイネーブラは、ＡＰおよびＳＴＡの有効化を維持するためにＣＶＳ信号を送るように、それが有効化したＡＰのすべてのチャネルに同調することができる。最初の有効化で、低レートイネーブラは、各チャネル上でＡＰへ、そのチャネル上のＣＶＳ信号の周期(period)を送ることができる。ＡＰは、その周期の知識を使用して、スリープしているＳＴＡをウェイクアップさせることができるので、それらのＳＴＡは、ＣＶＳ信号を受信してそれらの有効化を維持できるようになり得る。
【００８８】
本開示の一態様では、ＡＰは、１つまたは複数のトラフィック指示マップ（ＴＩＭ）メッセージと、配信トラフィック指示マップ（ＤＴＩＭ）メッセージとを、定期的に送信することができる。各ＴＩＭの内部で、次のＤＴＩＭまでカウントダウンするカウンタが存在してもよい。ＡＰは、ＣＶＳメッセージを送信する直前に、ＤＴＩＭの送信をスケジュールするために、この構造を使用することができる。ＤＴＩＭメッセージの内部で、ＡＰは、ブロードキャスト信号（すなわち、ＣＶＳメッセージ）が送信されるようになることを示すブロードキャストビットを設定することができる。ＴＶＷＳ内で、ＳＴＡが、ブロードキャストビットが設定されたＤＴＩＭを受信するとき、ＳＴＡは、ＣＶＳを受信するためにウェイクアップさせることができる。
【００８９】
図１１は、周期的なＣＶＳメッセージ、ＴＩＭメッセージ、およびＤＴＩＭメッセージの例示的なプロセス１１００を示す。このプロセスは、次のように作動することができる。ＡＰは、スリープ状態にあるＳＴＡのウェイクアップをスケジュールするために、ＣＶＳの到着時間の直前であるＤＴＩＭを利用することができる。ＡＰは、ＤＴＩＭメッセージ内にブロードキャストビットを設定することができる。すべてのＳＴＡは、ＤＴＩＭにおいてウェイクアップし得、ブロードキャストビットを読み取ることができ、それらがＣＶＳメッセージを受信するまでアウェイクしたままでいることができる。一態様では、ＳＴＡは、ＴＩＭメッセージの一部をリッスンするためにウェイクアップし得、次のＤＴＩＭがいつスケジュールされるかを決定するためにダウンカウンタを読み取ることができる。
【００９０】
一態様では、ＣＶＳメッセージが送信されると、ＡＰは、ＣＶＳが送信されたことを示すブロードキャストメッセージを送信することができる。これによって、ＳＴＡを待っている他のデータがない場合、ＳＴＡがスリープ状態に戻されることを可能にすることができる。
【００９１】
低レートイネーブラは、上記のＣＶＳ手順を、それがＡＰを有効化したすべてのチャネル上で実行することができる。一態様では、低レートイネーブラがチャネルの各々に同調するために十分な時間を有することができるように、ＣＶＳ信号を送信するための時間が、チャネルの各々においてオフセットされることができる。
【００９２】
低レート物理（ＰＨＹ）レイヤ
本開示のいくつかの態様によれば、低レートイネーブラ、モードＩ  ＡＰおよびモードＩ  ＳＴＡは、最初のＴＶＷＳ通信有効化を提供し、ＣＶＳ信号を用いてＴＶＷＳ有効化を維持するために、いくつかの可能な低レートＰＨＹを利用することができる。
【００９３】
一態様では、低データレートをもつ直接シーケンススペクトラム拡散（ＤＳＳＳ）ＰＨＹは、最大送信電力の近くで送信を可能にするために、６ＭＨｚのＴＶチャネルの大部分にわたってスペクトラムを拡散するために、長距離動作と高チップレートとを提供することができる。別の可能性は、データレートが２５０Ｋｂ／ｓまで低下可能になり、帯域幅が約５ＭＨｚまで低下可能になるように、約４倍に拡大された変調の時間スケールとチッピングシーケンスとをもつ、１ＭＨｚのＩＥＥＥ８０２．１１ベースのＰＨＹを使用することであり得る。このデータレートにおいて、ＴＶホワイトスペース内のこのＰＨＹレイヤシグナリングのカバレージは、大きくなり得る。
【００９４】
本開示のいくつかの態様によれば、毎秒１メガビットのＤＳＳＳ  ８０２．１１ＰＨＹのデータレートを１／２または１／４に下げ、次いで、２０ＭＨｚから５ＭＨｚまで縮小し、それぞれ、毎秒１２５キロビットおよび毎秒６２．５キロビットのデータレートを生じることによって、より低いデータレートを得ることができる。
【００９５】
本開示のいくつかの態様によれば、反復符号をＯＦＤＭ  ＰＨＹで使用して、全帯域幅を維持しながらデータレートを下げるために、低データレートＰＨＹが得られることができる。他の低レートＰＨＹ設計もまた、可能であり得る。
【００９６】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、（１つまたは複数の）様々なハードウェアおよび／またはソフトウェアコンポーネントおよび／または（１つまたは複数の）モジュールを含み得る。一般に、図に示す動作がある場合、それらの動作は、同様の番号をもつ対応するカウンターパートのミーンズプラスファンクションコンポーネントを有し得る。たとえば、図７、図８および図９に示す動作７００、８００および９００は、図７Ａ、図８Ａおよび図９Ａに示すコンポーネント７００Ａ、８００Ａおよび９００Ａに対応する。
【００９７】
ここに使用するとき、「決定（ｄｅｔｅｒｍｉｎｉｎｇ）」という用語は、多種多様な動作を包含する。たとえば、「決定」は、計算、算出、処理、導出、調査、探索（たとえば、テーブル、データベース、または別のデータ構造の中の探索）、確認などを含み得る。また、「決定」は、受信（たとえば、情報を受信すること）、アクセス（たとえば、メモリ中のデータにアクセスすること）などを含み得る。また、「決定」は、解決、選択、選出、確立などを含み得る。
【００９８】
ここに使用するとき、項目のリスト「のうちの少なくとも１つ」を指す句は、単一のメンバーを含む、それらのアイテムの任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃをカバーするものとする。
【００９９】
上記で説明した方法の様々な動作は、（１つまたは複数の）様々なハードウェアおよび／またはソフトウェアコンポーネント、回路、および／または（１つまたは複数の）モジュールなど、それらの動作を実行することが可能な任意の好適な手段によって実行され得る。一般に、図に示すどの動作も、それらの動作を実行することが可能な対応する機能的手段によって実行され得る。
【０１００】
たとえば、決定するための手段は、たとえば、アクセスポイント１１０の図２のＴＸデータプロセッサ２１０、アクセスポイント１１０の図２のＲＸデータプロセッサ２４２、ユーザ端末１２０の図２のＲＸデータプロセッサ２７０、ユーザ端末１２０の図２のＴＸデータプロセッサ２８８、または、ワイヤレスデバイス３０２の図３のプロセッサ３０４などの特定用途向け集積回路を備え得る。得るための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。生成するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。送信するための手段は、たとえば、アクセスポイント１１０の図２のトランシーバ２２２、ユーザ端末１２０の図２のトランシーバ２５４、または、ワイヤレスデバイス３０２の図３の送信機３１０などのトランシーバを備え得る。確立するための手段は、たとえば、トランシーバ２２２、トランシーバ２５４、または、ワイヤレスデバイス３０２の図３のトランシーバ３１４などのトランシーバを備え得る。通信するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。選択するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。受信するための手段は、たとえば、トランシーバ２２２、トランシーバ２５４、または、ワイヤレスデバイス３０２の図３の受信機３１２などのトランシーバを備え得る。含めるための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。同調するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。探索するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。検出するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。継続するための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。切り替えるための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。アクティブスキャンを行うための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。パッシブスキャンを行うための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。ウェイクアップさせるための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。控えるための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。読み取るための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。リセットするための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。入れる(putting)ための手段は、たとえば、ＴＸデータプロセッサ２１０、ＲＸデータプロセッサ２４２、ＲＸデータプロセッサ２７０、ＴＸデータプロセッサ２８８、またはプロセッサ３０４などの特定用途向け集積回路を備え得る。変調するための手段は、たとえば、ＴＸデータプロセッサ２１０、ＴＸデータプロセッサ２８８、またはプロセッサ３０４などの特定用途向け集積回路を備え得る。
【０１０１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェアコンポーネント、あるいはここに説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０２】
本開示に関連して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、当技術分野で知られている任意の形式の記憶媒体中に常駐することができる。使用し得る記憶媒体のいくつかの例には、ランダムアクセスメモリ（ＲＡＭ）、読み取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどを含む。ソフトウェアモジュールは、単一の命令、または多数の命令を備えることができ、いくつかの異なるコードセグメント上で、異なるプログラム間で、および複数の記憶媒体にわたって分散され得る。記憶媒体は、プロセッサがその記憶媒体から情報を読み取り得、その記憶媒体に情報を書き込み得るように、プロセッサに結合され得る。代替として、記憶媒体はプロセッサに一体化され得る。
【０１０３】
ここに開示する方法は、説明した方法を達成するための１つまたは複数のステップまたはアクションを備える。本方法のステップおよび／またはアクションは、クレームの範囲から逸脱することなく互いに入れ替えることができる。言い換えれば、ステップまたはアクションの特定の順序が指定されない限り、特定のステップおよび／またはアクションの順序および／または使用はクレームの範囲から逸脱することなく変更され得る。
【０１０４】
説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスし得る任意の他の媒体を備え得る。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。ここに使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザディスク（登録商標）（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【０１０５】
したがって、いくつかの態様は、ここに提示する動作を実行するためのコンピュータプログラム製品を備え得る。たとえば、そのようなコンピュータプログラム製品は、ここに説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【０１０６】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０１０７】
さらに、ここに記載の方法および技法を実行するためのモジュールおよび／または他の適切な手段は、適用可能な場合にユーザ端末および／または基地局によってダウンロードおよび／または他の方法で取得できることを諒解されたい。たとえば、ここに説明した方法を実行するための手段の転送を可能にするために、そのようなデバイスがサーバに結合され得る。代替的に、ここに説明した様々な方法を記憶手段（たとえば、ＲＡＭ、ＲＯＭ、コンパクトディスク（ＣＤ）またはフロッピー（登録商標）ディスクなどの物理的記憶媒体など）によって提供することができ、それにより、ユーザ端末および／または基地局は、その記憶手段をデバイスに結合または供給すると、それらの様々な方法を取得することができるようになる。その上、ここに説明する方法および技法をデバイスに与えるための任意の他の適切な技法を利用することができる。
【０１０８】
特許請求の範囲は、上記に示した正確な構成およびコンポーネントに限定されないことを理解されたい。上記の方法および装置の構成、動作および詳細において、クレームの範囲から逸脱することなく、様々な改変、変更および変形を行うことができる。
【０１０９】
上記は本開示の態様を対象とするが、本開示の他の態様およびさらなる態様は、その基本的範囲から逸脱することなく考案され得、その範囲は以下の特許請求の範囲によって判断される。
以下に、本願出願の当初の特許請求の範囲に記載された発明を付記する。
［１］下記を備えるワイヤレス通信のための装置、
前記装置の地理的ロケーションを決定するように構成された第１の回路と、
テレビジョンホワイトスペース（ＴＶＷＳ）通信をサポートする複数のＴＶＷＳチャネルのうちのチャネルのリストを得るように構成された第２の回路と、ここにおいて前記リストからの前記チャネルが、前記地理的ロケーションにおいて使用するために利用可能である、
複数の装置に到達することが可能なデータレートを有する信号を生成するように構成された第３の回路と、ここにおいて前記信号が、前記複数の装置に前記ＴＶＷＳ通信のための有効化を公示する、
前記リストからの第１のチャネルを使用して、前記信号を前記複数の装置へ送信するように構成されたトランシーバ。
［２］前記トランシーバが、前記装置に関連付けられた全地球測位システム（ＧＰＳ）情報を得るために、ＧＰＳ接続を確立することを行うようにも構成され、
前記第１の回路が、前記ＧＰＳ情報に基づいて、前記地理的ロケーションを決定することを行うようにも構成される、［１］に記載の装置。
［３］前記第２の回路が、前記リストを得るために、インターネット接続を介してＴＶＷＳデータベースと通信することを行うようにも構成され、
前記ＴＶＷＳデータベースが、前記地理的ロケーションにおける前記複数のＴＶＷＳチャネルの利用可能性についての情報を備える、［１］に記載の装置。
［４］前記信号を送信するために、前記リストから前記第１のＴＶＷＳチャネルを選択するように構成された第４の回路
をさらに備える、［１］に記載の装置。
［５］前記信号が、直接シーケンススペクトラム拡散（ＤＳＳＳ）信号を備える、［１］に記載の装置。
［６］前記信号の前記データレートが、毎秒約１０キロビットまたは毎秒約１００キロビットであり、
前記信号の帯域幅が、約５ＭＨｚまたは約６ＭＨｚである、［１］に記載の装置。
［７］前記第３の回路が、
毎秒約１メガビットの別のデータレートを有する、ＩＥＥＥ８０２．１１規格ファミリーに従う別の信号を生成することを行うようにも構成され、
前記信号の前記生成が、毎秒約２５０キロビット、毎秒約１２５キロビット、または毎秒約６２．５キロビットの前記データレートを有する前記信号を生成するために、前記別のデータレートを縮小して前記別の信号を変調することを備え、
前記信号の帯域幅が、約５ＭＨｚである、［１］に記載の装置。
［８］前記信号が、反復符号をもつ直交周波数分割多重（ＯＦＤＭ）信号を備える、［１］に記載の装置。
［９］前記トランシーバが、
前記第１のチャネル上で前記複数の装置のサブセットから、前記複数の装置のサブセットにおいて前記ＴＶＷＳ通信を有効化するための１つまたは複数の要求を受信することと、
前記サブセットからの各装置に関連付けられた識別子（ＩＤ）を受信することと、
前記要求に応答して前記第１のチャネル上で、チャネルの前記リストを前記サブセットからの１つまたは複数の装置へ送信することと、ここにおいて前記１つまたは複数の装置の各々が、検証された前記ＩＤに関連付けられる
を行うようにも構成される、［１］に記載の装置。
［１０］前記トランシーバが、
前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
を行うようにも構成される、［９］に記載の装置。
［１１］前記第２のリストが、前記第２のリスト内の各チャネルの中心周波数と帯域幅とを備える、［１０］に記載の装置。
［１２］前記トランシーバが、
前記１つまたは複数の装置の各々から、その装置によって使用するために選択されている、前記複数のＴＶＷＳチャネルのうちの第２のチャネルについての情報を受信することと、
その装置へ、その装置による前記ＴＶＷＳ通信を継続するために、前記第２のチャネル上でコンタクト検証信号（ＣＶＳ）を送信する周期性についての情報をもつメッセージを送信することと
を行うようにも構成され、前記装置が、
前記第２のチャネルを前記第２のリストに含めるように構成された回路
をさらに備える、［１０］に記載の装置。
［１３］前記トランシーバが、
その装置へ、前記第２のチャネル上で前記ＣＶＳを送信するためのスケジュールを備える別のメッセージを送信すること
を行うようにも構成される、［１２］に記載の装置。
［１４］前記トランシーバが、前記第２のチャネルを使用して、少なくとも６０秒に１回、前記ＣＶＳを送信すること
を行うようにも構成される、［１２］に記載の装置。
［１５］前記メッセージ内で指定された前記周期性で、前記第２のチャネルに同調するように構成された別の回路
をさらに備え、前記トランシーバが、
前記第２のチャネルを使用して、前記周期性に従って、前記ＣＶＳをその装置へ送信すること
を行うようにも構成される、［１２］に記載の装置。
［１６］前記地理的ロケーションが、少なくとも６０秒に１回チェックされる、［１］に記載の装置。
［１７］前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、［１］に記載の装置。
［１８］前記トランシーバが、
前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと
を行うようにも構成され、
ここにおいて前記第１の頻度が、前記第２の頻度よりも大きい、［１］に記載の装置。
［１９］前記トランシーバが、
前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
を行うようにも構成される、［１］に記載の装置。
［２０］下記を備える、ワイヤレス通信のための方法、
装置で、前記装置の地理的ロケーションを決定することと、
テレビジョンホワイトスペース（ＴＶＷＳ）通信をサポートする複数のＴＶＷＳチャネルのうちのチャネルのリストを得ることと、ここにおいて前記リストからの前記チャネルが、前記地理的ロケーションにおいて使用するために利用可能である、
複数の装置に到達することが可能なデータレートを有する信号を生成することと、ここにおいて前記信号が、前記複数の装置に前記ＴＶＷＳ通信のための有効化を公示する、
前記リストからの第１のチャネルを使用して、前記信号を前記複数の装置へ送信すること。
［２１］前記装置に関連付けられた全地球測位システム（ＧＰＳ）情報を得るために、ＧＰＳ接続を確立することと、
前記ＧＰＳ情報に基づいて、前記地理的ロケーションを決定することと
をさらに備える、［２０］に記載の方法。
［２２］前記リストを得るために、インターネット接続を介してＴＶＷＳデータベースと通信すること、ここにおいて前記ＴＶＷＳデータベースが、前記地理的ロケーションにおける前記複数のＴＶＷＳチャネルの利用可能性についての情報を備える
をさらに備える、［２０］に記載の方法。
［２３］前記信号を送信するために、前記リストから前記第１のＴＶＷＳチャネルを選択すること
をさらに備える、請求項２０に記載の方法。
［２４］前記信号が、直接シーケンススペクトラム拡散（ＤＳＳＳ）信号を備える、［２０］に記載の方法。
［２５］前記信号の前記データレートが、毎秒約１０キロビットまたは毎秒約１００キロビットであり、
前記信号の帯域幅が、約５ＭＨｚまたは約６ＭＨｚである、［２０］に記載の方法。
［２６］前記信号を生成することが、
毎秒約１メガビットの別のデータレートを有する、ＩＥＥＥ８０２．１１規格ファミリーに従う別の信号を生成することと、
毎秒約２５０キロビット、毎秒約１２５キロビット、または毎秒約６２．５キロビットの前記データレートを有する前記信号を生成するために、前記別のデータレートを縮小して前記別の信号を変調することと
を備え、
ここにおいて前記信号の帯域幅が、約５ＭＨｚである、［２０］に記載の方法。
［２７］前記信号が、反復符号をもつ直交周波数分割多重（ＯＦＤＭ）信号を備える、［２０］に記載の方法。
［２８］前記第１のチャネル上で前記複数の装置のサブセットから、前記複数の装置のサブセットにおいて前記ＴＶＷＳ通信を有効化するための１つまたは複数の要求を受信することと、
前記サブセットからの各装置に関連付けられた識別子（ＩＤ）を受信することと、
前記要求に応答して前記第１のチャネル上で、チャネルの前記リストを前記サブセットからの１つまたは複数の装置へ送信することと、ここにおいて前記１つまたは複数の装置の各々が、検証された前記ＩＤに関連付けられる
をさらに備える、［２０］に記載の方法。
［２９］前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
をさらに備える、［２８］に記載の方法。
［３０］前記第２のリストが、前記第２のリスト内の各チャネルの中心周波数と帯域幅とを備える、［２９］に記載の方法。
［３１］前記１つまたは複数の装置の各々から、その装置によって使用するために選択されている、前記複数のＴＶＷＳチャネルのうちの第２のチャネルについての情報を受信することと、
その装置へ、その装置による前記ＴＶＷＳ通信を継続するために、前記第２のチャネル上でコンタクト検証信号（ＣＶＳ）を送信する周期性についての情報をもつメッセージを送信することと、
前記第２のチャネルを前記第２のリストに含めることと
をさらに備える、［２９］に記載の方法。
［３２］その装置へ、前記第２のチャネル上で前記ＣＶＳを送信するためのスケジュールを備える別のメッセージを送信すること
をさらに備える、［３１］に記載の方法。
［３３］前記第２のチャネルを使用して、少なくとも６０秒に１回、前記ＣＶＳを送信すること
をさらに備える、［３１］に記載の方法。
［３４］前記メッセージ内で指定された前記周期性で、前記第２のチャネルに同調することと、
前記第２のチャネルを使用して、前記周期性に従って、前記ＣＶＳをその装置へ送信することと
をさらに備える、［３１］に記載の方法。
［３５］前記地理的ロケーションが、少なくとも６０秒に１回チェックされる、［２０］に記載の方法。
［３６］前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、［２０］に記載の方法。
［３７］前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと、ここにおいて前記第１の頻度が、前記第２の頻度よりも大きい
をさらに備える、［２０］に記載の方法。
［３８］前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
をさらに備える、［２０］に記載の方法。
［３９］下記を備える、ワイヤレス通信のための装置、
前記装置の地理的ロケーションを決定するための手段と、
テレビジョンホワイトスペース（ＴＶＷＳ）通信をサポートする複数のＴＶＷＳチャネルのうちのチャネルのリストを得るための手段と、ここにおいて前記リストからの前記チャネルが、前記地理的ロケーションにおいて使用するために利用可能である、
複数の装置に到達することが可能なデータレートを有する信号を生成するための手段と、ここにおいて前記信号が、前記複数の装置に前記ＴＶＷＳ通信のための有効化を公示する、
前記リストからの第１のチャネルを使用して、前記信号を前記複数の装置へ送信するための手段。
［４０］前記装置に関連付けられた全地球測位システム（ＧＰＳ）情報を得るために、ＧＰＳ接続を確立するための手段と、
前記ＧＰＳ情報に基づいて、前記地理的ロケーションを決定するための手段と
をさらに備える、［３９］に記載の装置。
［４１］前記リストを得るために、インターネット接続を介してＴＶＷＳデータベースと通信するための手段、ここにおいて前記ＴＶＷＳデータベースが、前記地理的ロケーションにおける前記複数のＴＶＷＳチャネルの利用可能性についての情報を備える
をさらに備える、［３９］に記載の装置。
［４２］前記信号を送信するために、前記リストから前記第１のＴＶＷＳチャネルを選択するための手段
をさらに備える、［３９］に記載の装置。
［４３］前記信号が、直接シーケンススペクトラム拡散（ＤＳＳＳ）信号を備える、［３９］に記載の装置。
［４４］前記信号の前記データレートが、毎秒約１０キロビットまたは毎秒約１００キロビットであり、
前記信号の帯域幅が、約５ＭＨｚまたは約６ＭＨｚである、［３９］に記載の装置。
［４５］前記信号を生成するための前記手段が、
毎秒約１メガビットの別のデータレートを有する、ＩＥＥＥ８０２．１１規格ファミリーに従う別の信号を生成するための手段と、
毎秒約２５０キロビット、毎秒約１２５キロビット、または毎秒約６２．５キロビットの前記データレートを有する前記信号を生成するために、前記別のデータレートを縮小して前記別の信号を変調するための手段と
を備え、
ここにおいて前記信号の帯域幅が、約５ＭＨｚである、［３９］に記載の装置。
［４６］前記信号が、反復符号をもつ直交周波数分割多重（ＯＦＤＭ）信号を備える、［３９］に記載の装置。
［４７］前記第１のチャネル上で前記複数の装置のサブセットから、前記複数の装置のサブセットにおいて前記ＴＶＷＳ通信を有効化するための１つまたは複数の要求を受信するための手段
をさらに備え、
受信するための前記手段が、前記サブセットからの各装置に関連付けられた識別子（ＩＤ）を受信することを行うようにさらに構成され、
送信するための前記手段が、前記要求に応答して前記第１のチャネル上で、チャネルの前記リストを前記サブセットからの１つまたは複数の装置へ送信することを行うようにさらに構成され、ここにおいて前記１つまたは複数の装置の各々が、検証された前記ＩＤに関連付けられる、［３９］に記載の装置。
［４８］送信するための前記手段が、
前記１つまたは複数の装置へ、前記第１のチャネル、または、前記装置によって前記ＴＶＷＳ通信のために以前に有効化された前記複数の装置の別のサブセットによって使用中である前記ＴＶＷＳチャネルのサブセットのうちの、少なくとも１つを備える、チャネルの第２のリストを送信すること
を行うようにさらに構成される、［４７］に記載の装置。
［４９］前記第２のリストが、前記第２のリスト内の各チャネルの中心周波数と帯域幅とを備える、［４８］に記載の装置。
［５０］受信するための前記手段が、前記１つまたは複数の装置の各々から、その装置によって使用するために選択されている、前記複数のＴＶＷＳチャネルのうちの第２のチャネルについての情報を受信することを行うようにさらに構成され、
送信するための前記手段が、その装置へ、その装置による前記ＴＶＷＳ通信を継続するために、前記第２のチャネル上でコンタクト検証信号（ＣＶＳ）を送信する周期性についての情報をもつメッセージを送信することを行うようにさらに構成され、前記装置が、
前記第２のチャネルを前記第２のリストに含めるための手段
をさらに備える、［４８］に記載の装置。
［５１］送信するための前記手段が、
その装置へ、前記第２のチャネル上で前記ＣＶＳを送信するためのスケジュールを備える別のメッセージを送信すること
を行うようにさらに構成される、［５０］に記載の装置。
［５２］送信するための前記手段が、
前記第２のチャネルを使用して、少なくとも６０秒に１回、前記ＣＶＳを送信すること
を行うようにさらに構成される、［５０］に記載の装置。
［５３］前記装置が、
前記メッセージ内で指定された前記周期性で、前記第２のチャネルに同調するための手段
をさらに備え、送信するための前記手段が、
前記第２のチャネルを使用して、前記周期性に従って、前記ＣＶＳをその装置へ送信すること
を行うようにさらに構成される、［５０］に記載の装置。
［５４］前記地理的ロケーションが、少なくとも６０秒に１回チェックされる、［３９］に記載の装置。
［５５］前記信号が、ＩＥＥＥ８０２．１１規格ファミリーに従って送信されたビーコンを備え、
前記ビーコンが、前記装置が前記ＴＶＷＳ通信のための有効化を提供することを示す情報を備える、［３９］に記載の装置。
［５６］送信するための前記手段が、
前記第１のチャネルが、前記複数の装置のうちのいずれによっても前記ＴＶＷＳ通信のために使用されない場合、第１の頻度に従って、周期的に前記信号を送信することと、
前記第１のチャネルが、前記複数の装置のうちの少なくとも１つによって前記ＴＶＷＳ通信のために使用される場合、第２の頻度に従って、周期的に前記信号を送信することと、ここにおいて前記第１の頻度が、前記第２の頻度よりも大きい
を行うようにさらに構成される、［３９］に記載の装置。
［５７］送信するための前記手段が、
前記第１のチャネルが、前記複数の装置のうちの少なくとも１つによって前記ＴＶＷＳ通信のために使用される場合、前記第１のチャネルを使用して、前記信号を送信するスケジュールをもつメッセージを送信すること
を行うようにさらに構成される、［３９］に記載の装置。
［５８］下記を行うように実行可能な命令を備えるコンピュータ可読媒体を備える、ワイヤレス通信のためのコンピュータプログラム製品、
装置で、前記装置の地理的ロケーションを決定することと、
テレビジョンホワイトスペース（ＴＶＷＳ）通信をサポートする複数のＴＶＷＳチャネルのうちのチャネルのリストを得ることと、ここにおいて前記リストからの前記チャネルが、前記地理的ロケーションにおいて使用するために利用可能である、
複数の装置に到達することが可能なデータレートを有する信号を生成することと、ここにおいて前記信号が、前記複数の装置に前記ＴＶＷＳ通信のための有効化を公示する、
前記リストからの第１のチャネルを使用して、前記信号を前記複数の装置へ送信すること。
［５９］下記を備えるアクセスポイント、
少なくとも１つのアンテナと、
前記アクセスポイントの地理的ロケーションを決定するように構成された第１の回路と、
テレビジョンホワイトスペース（ＴＶＷＳ）通信をサポートする複数のＴＶＷＳチャネルのうちのチャネルのリストを得るように構成された第２の回路と、ここにおいて前記リストからの前記チャネルが、前記地理的ロケーションにおいて使用するために利用可能である、
複数のワイヤレスノードに到達することが可能なデータレートを有する信号を生成するように構成された第３の回路と、ここにおいて前記信号が、前記複数のワイヤレスノードに前記ＴＶＷＳ通信のための有効化を公示する、
前記少なくとも１つのアンテナを介して、前記リストからの第１のチャネルを使用して、前記信号を前記複数のワイヤレスノードへ送信するように構成されたトランシーバ。
【図１】
0005893694.tif 000002
【図２】
0005893694.tif 000003
【図３】
0005893694.tif 000004
【図４】
0005893694.tif 000005
【図５】
0005893694.tif 000006
【図６】
0005893694.tif 000007
【図７】
0005893694.tif 000008
【図７Ａ】
0005893694.tif 000009
【図８】
0005893694.tif 000010
【図８Ａ】
0005893694.tif 000011
【図９】
0005893694.tif 000012
【図９Ａ】
0005893694.tif 000013
【図１０】
0005893694.tif 000014
【図１１】
0005893694.tif 000015